(57)【要約】  技法は、１つまたは複数のリソース対のそれぞれのリソースの受信電力を測定することであって、１つまたは複数のリソース対のうちのそれぞれのリソース対は、第１のリソース型のリソースと、第２のリソース型の一組のリソースとを含み、第１のリソース型のリソースは、第２のリソース型の一組のリソースと空間的に準コロケーション関係にある、測定すること、結合準コロケーション多数リソースビーム報告を提供するために、最も強い受信電力に基づいて、１つまたは複数のリソース対の中から１つのリソース対を選択すること、および結合準コロケーション多数リソースビーム報告をユーザデバイスによって作成することであって、結合準コロケーション多数リソースビーム報告は、選択されたリソース対の第１のリソース型のリソースと第２のリソース型の一組のリソースのそれぞれのリソースとを含む、選択されたリソース対のそれぞれのリソースについて、リソースと、対応する測定された受信電力とを指示する、作成すること、を含む。
2021505045.tif 000002
【特許請求の範囲】
【請求項１】
１つまたは複数のリソース対のそれぞれのリソースの受信電力を測定することであって、
前記１つまたは複数のリソース対のうちのそれぞれのリソース対が、第１のリソース型のリソースと、第２のリソース型の一組のリソースとを含み、前記第１のリソース型の前記リソースが、前記第２のリソース型の前記一組のリソースと空間的に準コロケーション関係にある、測定すること、
結合準コロケーション多数リソースビーム報告を提供するために、前記測定することによって得た最も強い受信電力または最も強い集約受信電力に基づいて、前記１つまたは複数のリソース対の中から１つのリソース対を選択すること、
結合準コロケーション多数リソースビーム報告をユーザデバイスによって作成することであって、
前記結合準コロケーション多数リソースビーム報告が、前記選択されたリソース対の前記第１のリソース型のリソースと前記第２のリソース型の前記一組のリソースのそれぞれのリソースとを含む、前記選択されたリソース対のそれぞれのリソースについて、リソースと、対応する測定された受信電力とを指示する、作成すること、および
前記結合準コロケーション多数リソースビーム報告をユーザデバイスによって送信することを制御すること
を含む方法。
【請求項２】
前記第１のリソース型が同期信号ブロックリソースを含み、
前記第２のリソース型がチャネル状態情報−基準信号リソースを含む、
請求項１に記載の方法。
【請求項３】
１つまたは複数のリソース対について、前記リソース対の第１のリソース型のリソースが前記リソース対の前記第２のリソース型の前記一組のリソースと空間的に準コロケーション関係にあることを指示する準コロケーション情報を、ユーザデバイスによって受信することを制御すること
をさらに含む、請求項１〜２のいずれか１項に記載の方法。
【請求項４】
１つまたは複数のリソース対について、前記リソース対の同期信号ブロックリソースが前記リソース対の一組のチャネル状態情報−基準信号リソースと空間的に準コロケーション関係にあることを指示する準コロケーション情報を、ユーザデバイスによって受信することを制御すること
をさらに含み、前記準コロケーション情報が、前記リソース対の前記同期信号ブロックリソースのリソース指示と、前記リソース対の前記一組のチャネル状態情報−基準信号リソースのリソース指示とを含む、
請求項１〜３のいずれか１項に記載の方法。
【請求項５】
前記第１のリソース型が同期信号ブロックリソースを含み、
前記第２のリソース型がチャネル状態情報−基準信号リソースを含み、
前記作成することが、
前記選択されたリソース対について、前記リソース対の同期信号ブロックのリソース指示と、前記リソース対の前記同期信号ブロックリソースの測定された受信電力を指示する情報と、前記リソース対の一組のチャネル状態情報−基準信号リソースのリソース指示と、前記リソース対の前記一組のチャネル状態情報−基準信号リソースのそれぞれのリソースの測定された受信電力を指示する情報とを含む結合準コロケーション多数リソースビーム報告を、ユーザデバイスによって作成すること
を含む、請求項１〜４のいずれか１項に記載の方法。
【請求項６】
前記選択することが、以下の、
前記１つまたは複数のリソース対の中から、前記リソース対の前記第１のリソース型の前記リソースの最も強い受信電力を有する１つのリソース対を選択すること、
前記１つまたは複数のリソース対の中から、前記リソース対の前記第２のリソース型の前記一組のリソースにわたって計算した最も強い集約受信電力を有する１つのリソース対を選択すること、および
前記１つまたは複数のリソース対の中から、前記リソース対の前記第１のリソース型の前記リソースと前記リソース対の前記第２のリソース型の前記一組のリソースの両方にわたって計算した最も強い集約受信電力を有する１つのリソース対を選択すること
のうちの少なくとも１つを含む、請求項１〜５のいずれかに記載の方法。
【請求項７】
ユーザデバイスによって、前記選択することの際に使用する選択基準の指示を、以下の選択基準、すなわち
前記リソース対の前記第１のリソース型の前記リソースの最も強い受信電力、
前記リソース対の前記第２のリソース型の前記一組のリソースにわたって計算した最も強い集約受信電力、および
前記リソース対の前記第１のリソース型の前記リソースと前記リソース対の前記第２のリソース型の前記一組のリソースの両方にわたって計算した最も強い集約受信電力
のうちの１つとして受信することをさらに含む、請求項１〜６のいずれか１項に記載の方法。
【請求項８】
前記第１のリソース型が同期信号ブロックリソースを含み、
前記第２のリソース型がチャネル状態情報−基準信号リソースを含み、
前記選択することが、以下の、
前記１つまたは複数のリソース対の中から、前記リソース対の前記同期信号ブロックリソースの最も強い受信電力を有する１つのリソース対を選択すること、
前記１つまたは複数のリソース対の中から、前記リソース対の前記一組のチャネル状態情報−基準信号リソースにわたって計算した最も強い集約受信電力を有する１つのリソース対を選択すること、および
前記１つまたは複数のリソース対の中から、前記リソース対の前記同期信号ブロックリソースと前記リソース対の前記一組のチャネル状態情報−基準信号リソースの両方にわたって計算した最も強い集約受信電力を有する１つのリソース対を選択すること
のうちの少なくとも１つを含む、請求項１〜７のいずれか１項に記載の方法。
【請求項９】
前記作成することが、
前記選択されたリソース対について、基準電力と、前記選択されたリソース対のそれぞれのリソースの前記基準電力に対する電力オフセットとを指示する結合準コロケーション多数リソースビーム報告を、ユーザデバイスによって作成すること
を含み、前記電力オフセットが、前記選択されたリソース対の前記第１のリソース型の前記リソースの電力オフセットおよび前記第２のリソース型の前記一組のリソースのそれぞれのリソースの電力オフセットを含む、
請求項１〜８のいずれか１項に記載の方法。
【請求項１０】
前記基準電力が、前記リソース対の前記リソースの最大電力を含む、請求項９に記載の方法。
【請求項１１】
前記第１のリソース型が同期信号ブロックリソースを含み、
前記第２のリソース型がチャネル状態情報−基準信号リソースを含み、
前記作成することが、
前記選択されたリソース対について、
基準電力と、前記選択されたリソース対のそれぞれのリソースの前記基準電力に対する電力オフセットとを指示する第１の要素、および
前記選択されたリソース対のリソースを識別する第２の要素であって、前記リソース対の前記同期信号ブロックリソースを識別する同期信号ブロックリソースインジケータと、前記選択されたリソース対の前記一組のチャネル状態情報−基準信号リソースを識別するリソースインジケータとを含む第２の要素
を含む結合準コロケーション多数リソースビーム報告を、ユーザデバイスによって作成すること
を含む、請求項１〜１０のいずれか１項に記載の方法。
【請求項１２】
前記選択することが、
結合準コロケーション多数リソースビーム報告を提供するために、前記測定することに基づいて、前記１つまたは複数のリソース対の中から複数のリソース対を選択すること
を含み、
前記作成することが、
前記複数の選択されたリソース対の結合準コロケーション多数リソースビーム報告であって、１つの基準電力と、前記複数のリソース対のそれぞれのリソースの前記基準電力に対する電力オフセットとを指示する情報を含む結合準コロケーション多数リソースビーム報告を、ユーザデバイスによって作成すること
を含む、請求項１〜１１のいずれか１項に記載の方法。
【請求項１３】
前記選択することが、
結合準コロケーション多数リソースビーム報告を提供するために、前記測定することに基づいて、前記１つまたは複数のリソース対の中から複数のリソース対を選択すること
を含み、
前記作成することが、
前記複数の選択されたリソース対の結合準コロケーション多数リソースビーム報告であって、前記複数の選択されたリソース対のうちのそれぞれのリソース対の基準電力と、前記複数のリソース対のそれぞれのリソースの、対応するリソース対の前記基準電力に対する電力オフセットとを指示する情報を含む結合準コロケーション多数リソースビーム報告を、ユーザデバイスによって作成すること
を含む、請求項１〜１２のいずれか１項に記載の方法。
【請求項１４】
前記リソースがそれぞれ、ビームまたは空間ドメインフィルタに関連づけられている、請求項１〜１３のいずれか１項に記載の方法。
【請求項１５】
請求項１〜１４のいずれか１項に記載の方法を実行するための手段を備える装置。
【請求項１６】
少なくとも１つのプロセッサと、コンピュータ命令を含む少なくとも１つのメモリとを備える装置であって、前記コンピュータ命令が、前記少なくとも１つのプロセッサによって実行されたときに、前記装置に、請求項１〜１４のいずれか１項に記載の方法を実行させる、装置。
【請求項１７】
非一時的コンピュータ可読記憶媒体を含み、実行可能コードを記憶するコンピュータプログラム製品を含む装置であって、前記実行可能コードが、少なくとも１つのデータ処理装置によって実行されたときに、前記少なくとも１つのデータ処理装置に、請求項１〜１４のいずれか１項に記載の方法を実行させるように構成されている、装置。
【請求項１８】
１つまたは複数のリソース対のそれぞれのリソースの受信電力を測定することであって、前記１つまたは複数のリソース対のうちのそれぞれのリソース対が、同期信号ブロックリソースと、一組のチャネル状態情報−基準信号リソースとを含み、前記同期信号ブロックリソースが、前記一組のチャネル状態情報−基準信号リソースと空間的に準コロケーション関係にある、測定すること、
結合準コロケーション多数リソースビーム報告を提供するために、前記測定による最も強い受信電力または最も強い集約受信電力に基づいて、前記１つまたは複数のリソース対の中から１つのリソース対を選択すること、
結合準コロケーション多数リソースビーム報告をユーザデバイスによって作成することであって、前記結合準コロケーション多数リソースビーム報告が、前記選択されたリソース対の同期信号ブロックリソースのリソース指示および測定された受信電力、前記リソース対の一組のチャネル状態情報−基準信号リソースのリソース指示、ならびに前記リソース対の前記一組のチャネル状態情報−基準信号リソースのそれぞれのリソースの測定された受信電力を指示する情報を含む、作成すること、および
前記結合準コロケーション多数リソースビーム報告をユーザデバイスによって送信することを制御すること
を含む方法。
【請求項１９】
請求項１８に記載の方法を実行するための手段を備える装置。
【請求項２０】
少なくとも１つのプロセッサと、コンピュータ命令を含む少なくとも１つのメモリとを備える装置であって、前記コンピュータ命令が、前記少なくとも１つのプロセッサによって実行されたときに、前記装置に、請求項１８に記載の方法を実行させる、装置。
【請求項２１】
非一時的コンピュータ可読記憶媒体を含み、実行可能コードを記憶するコンピュータプログラム製品を含む装置であって、前記実行可能コードが、少なくとも１つのデータ処理装置によって実行されたときに、前記少なくとも１つのデータ処理装置に、請求項１８に記載の方法を実行させるように構成されている、装置。
【請求項２２】
１つまたは複数のリソース対について、前記リソース対の第１のリソース型のリソースが前記リソース対の第２のリソース型の一組のリソースと空間的に準コロケーション関係にあることを指示する準コロケーション情報を、基地局によって送信することを制御すること、および
ユーザデバイスからの結合準コロケーション多数リソースビーム報告を前記基地局によって受信することを制御すること
を含み、前記結合準コロケーション多数リソースビーム報告が、前記選択されたリソース対の前記第１のリソース型のリソースと前記第２のリソース型の一組のリソースのそれぞれのリソースとを含む、前記選択されたリソース対のそれぞれのリソースについて、リソースと、対応する受信電力とを指示する、
方法。
【請求項２３】
前記第１のリソース型が同期信号ブロックリソースを含み、
前記第２のリソース型がチャネル状態情報−基準信号リソースを含む、
請求項２２に記載の方法。
【請求項２４】
前記第１のリソース型が同期信号ブロックリソースを含み、
前記第２のリソース型がチャネル状態情報−基準信号リソースを含み、
前記送信することを制御することが、
１つまたは複数のリソース対について、前記リソース対の同期信号ブロックリソースが前記リソース対の一組のチャネル状態情報−基準信号リソースと空間的に準コロケーション関係にあることを指示する準コロケーション情報を、前記基地局によって送信することを制御すること
を含み、前記準コロケーション情報が、前記リソース対の前記同期信号ブロックリソースのリソース指示と、前記リソース対の前記一組のチャネル状態情報−基準信号リソースのリソース指示とを指示する、
請求項２２〜２３のいずれか１項に記載の方法。
【請求項２５】
基地局デバイスによって、結合準コロケーション多数リソースビーム報告を提供するためにリソース対を選択する際に使用する選択基準の指示を、以下の選択基準、すなわち
前記リソース対の前記第１のリソース型の前記リソースの最も強い受信電力、
前記リソース対の前記第２のリソース型の前記一組のリソースにわたって計算した最も強い集約受信電力、および
前記リソース対の前記第１のリソース型の前記リソースと前記リソース対の前記第２のリソース型の前記一組のリソースの両方にわたって計算した最も強い集約受信電力
のうちの１つとして送信することをさらに含む、請求項２２〜２４のいずれか１項に記載の方法。
【請求項２６】
前記受信することを制御することが、
選択されたリソース対について、基準電力と、前記選択されたリソース対のそれぞれのリソースの前記基準電力に対する電力オフセットとを指示する結合準コロケーション多数リソースビーム報告を、前記基地局によって受信することを制御すること
を含み、前記電力オフセットが、前記選択されたリソース対の前記第１のリソース型の前記リソースの電力オフセットおよび前記第２のリソース型の前記一組のリソースのそれぞれのリソースの電力オフセットを含む、
請求項２２〜２５のいずれか１項に記載の方法。
【請求項２７】
前記基準電力が、前記リソース対の前記リソースの最大電力を含む、請求項２６に記載の方法。
【請求項２８】
前記結合準コロケーション多数リソースビーム報告が、
基準電力と、選択されたリソース対のそれぞれのリソースの前記基準電力に対する電力オフセットとを指示する第１の要素、および
前記選択されたリソース対のリソースを識別する第２の要素であり、前記リソース対の前記同期信号ブロックリソースを識別する同期信号ブロックリソースインジケータと、前記選択されたリソース対の前記一組のチャネル状態情報−基準信号リソースを識別するリソースインジケータとを含む第２の要素
を含む、請求項２２〜２７のいずれか１項に記載の方法。
【請求項２９】
前記結合準コロケーション多数リソースビーム報告が、
複数の選択されたリソース対の情報を報告する結合準コロケーション多数リソースビーム報告であって、１つの基準電力と、前記複数のリソース対のそれぞれのリソースの前記１つの基準電力に対する電力オフセットとを指示する情報を含む、結合準コロケーション多数リソースビーム報告
を含む、請求項２２〜２８のいずれか１項に記載の方法。
【請求項３０】
前記結合準コロケーション多数リソースビーム報告が、
複数の選択されたリソース対の情報を報告する結合準コロケーション多数リソースビーム報告であり、前記複数の選択されたリソース対のうちのそれぞれのリソース対の基準電力と、前記複数のリソース対のそれぞれのリソースの、対応するリソース対の前記基準電力に対する電力オフセットとを指示する情報を含む結合準コロケーション多数リソースビーム報告
を含む、請求項２２〜２９のいずれか１項に記載の方法。
【請求項３１】
前記リソースがそれぞれ、ビームまたは空間ドメインフィルタに関連づけられている、請求項２２〜３０のいずれか１項に記載の方法。
【請求項３２】
請求項２２〜３１のいずれか１項に記載の方法を実行するための手段を備える装置。
【請求項３３】
少なくとも１つのプロセッサと、コンピュータ命令を含む少なくとも１つのメモリとを備える装置であって、前記コンピュータ命令が、前記少なくとも１つのプロセッサによって実行されたときに、前記装置に、請求項２２〜３１のいずれか１項に記載の方法を実行させる、装置。
【請求項３４】
非一時的コンピュータ可読記憶媒体を含み、実行可能コードを記憶するコンピュータプログラム製品を含む装置であって、前記実行可能コードが、少なくとも１つのデータ処理装置によって実行されたときに、前記少なくとも１つのデータ処理装置に、請求項２２〜３１のいずれか１項に記載の方法を実行させるように構成されている、装置。
【発明の詳細な説明】
【技術分野】
【０００１】
この記述は通信に関する。
【背景技術】
【０００２】
通信システムは、固定または移動通信デバイスなどの２つ以上のノードまたはデバイス間の通信を可能にする機能であることがある。信号は、有線または無線キャリアに載せて運ぶことができる。
【０００３】
セルラ−通信システムの一例は、第３世代パートナーシッププロジェクト（ｔｈｅ  ３ｒｄ  Ｇｅｎｅｒａｔｉｏｎ  Ｐａｒｔｎｅｒｓｈｉｐ  Ｐｒｏｊｅｃｔ：３ＧＰＰ）によって標準化されているアーキテクチャである。この分野における最近の１つの展開はしばしば、ユニバーサル移動通信システム（ｔｈｅ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：ＵＭＴＳ）無線アクセス技術のロングタームエボリューション（Ｌｏｎｇ  Ｔｅｒｍ  Ｅｖｏｌｕｔｉｏｎ：ＬＴＥ）と呼ばれる。Ｅ−ＵＴＲＡ（ｅｖｏｌｖｅｄ  ＵＭＴＳ  Ｔｅｒｒｅｓｔｒｉａｌ  Ｒａｄｉｏ  Ａｃｃｅｓｓ（進化型ＵＭＴＳ地上無線アクセス））は、移動体ネットワーク向けの３ＧＰＰのロングタームエボリューション（ＬＴＥ）アップグレードパス（ｕｐｇｒａｄｅ  ｐａｔｈ）のエアインタフェース（ａｉｒ  ｉｎｔｅｒｆａｃｅ）である。ＬＴＥでは、エンハンストノードＢ（ｅｎｈａｎｃｅｄ  Ｎｏｄｅ  Ｂ：ｅＮＢｓ）と呼ばれる基地局またはアクセスポイント（ａｃｃｅｓｓ  ｐｏｉｎｔ：ＡＰ）が、カバレージエリアまたはセル内の無線アクセスを提供する。ＬＴＥでは、移動デバイスまたは移動局がユーザ機器（ｕｓｅｒ  ｅｑｕｉｐｍｅｎｔ：ＵＥ）と呼ばれる。ＬＴＥは、いくつかの改良または展開を含んでいる。
【０００４】
５Ｇ  Ｎｅｗ  Ｒａｄｉｏ（ＮＲ）の展開は、より早期の３Ｇおよび４Ｇ無線ネットワークの進化と同様の、５Ｇの要件を満たすための継続中のモバイルブロードバンド進化過程の一部である。５Ｇの目標は、無線性能の大幅な改良を提供することであり、この改良は、新たな水準のデータ転送速度、待ち時間、信頼性およびセキュリティを含みうる。５Ｇ  ＮＲはさらに、大規模なインターネットオブシングス（Ｉｎｔｅｒｎｅｔ  ｏｆ  Ｔｈｉｎｇｓ：ＩｏＴ）を効率的に接続するように拡張される可能性があり、新しいタイプのミッションクリティカルサービス（ｍｉｓｓｉｏｎ−ｃｒｉｔｉｃａｌ  ｓｅｒｖｉｃｅ）を提供する可能性がある。
【発明の概要】
【０００５】
例示的な一実施態様によれば、方法が、１つまたは複数のリソース対（ｒｅｓｏｕｒｃｅ  ｐａｉｒ）のそれぞれのリソースの受信した電力（ｒｅｃｅｉｖｅｄ  ｐｏｗｅｒ）（以後、受信電力）を測定することであって、１つまたは複数のリソース対のうちのそれぞれのリソース対が、第１のリソース型（ｒｅｓｏｕｒｃｅ  ｔｙｐｅ）のリソースと、第２のリソース型の一組のリソースとを含み、第１のリソース型のリソースが、第２のリソース型の一組のリソースと空間的にだいたい同じ位置にある（ｓｐａｔｉａｌｌｙ  ｑｕａｓｉ−ｃｏｌｏｃａｔｅｄ）（以後、空間的に準コロケーション関係にあり）、測定することと、結合準コロケーション多数リソースビーム報告（ｊｏｉｎｔ  ｑｕａｓｉ−ｃｏｌｏｃａｔｉｏｎ  ｍｕｌｔｉｐｌｅ−ｒｅｓｏｕｃｅ  ｂｅａｍ  ｒｅｐｏｒｔ）を提供するために、測定することによって得た最も強い受信電力または最も強い集約された受信電力（ａｇｇｒｅｇａｔｅｄ  ｒｅｃｅｉｖｅｄ  ｐｏｗｅｒ）（以後、集約受信電力）に基づいて、１つまたは複数のリソース対の中から１つのリソース対を選択すること、結合準コロケーション多数リソースビーム報告をユーザデバイスによって作成することであって、この結合準コロケーション多数リソースビーム報告が、選択されたリソース対の第１のリソース型のリソースと第２のリソース型の一組のリソースのそれぞれのリソースとを含む、選択されたリソース対のそれぞれのリソースについて、リソースと、対応する測定された受信電力とを指示する、作成すること、およびこの結合準コロケーション多数リソースビーム報告をユーザデバイスによって送信することを制御すること、を含む。
【０００６】
例示的な一実施態様によれば、装置が、少なくとも１つのプロセッサと、コンピュータ命令を含む少なくとも１つのメモリとを含み、コンピュータ命令が、少なくとも１つのプロセッサによって実行されたときに、装置に、１つまたは複数のリソース対のそれぞれのリソースの受信電力を測定することであって、１つまたは複数のリソース対のうちのそれぞれのリソース対が、第１のリソース型のリソースと、第２のリソース型の一組のリソースとを含み、第１のリソース型のリソースが、第２のリソース型の一組のリソースと空間的に準コロケーション関係にある、測定すること、結合準コロケーション多数リソースビーム報告を提供するために、測定することによって得た最も強い受信電力または最も強い集約受信電力に基づいて、１つまたは複数のリソース対の中から１つのリソース対を選択すること、結合準コロケーション多数リソースビーム報告をユーザデバイスによって作成することであって、結合準コロケーション多数リソースビーム報告が、選択されたリソース対の第１のリソース型のリソースと第２のリソース型の一組のリソースのそれぞれのリソースとを含み、選択されたリソース対のそれぞれのリソースについて、リソースと、対応する測定された受信電力とを指示する、作成すること、および結合準コロケーション多数リソースビーム報告をユーザデバイスによって送信することを制御すること、を実行させる。
【０００７】
例示的な一実施態様によれば、コンピュータプログラム製品が、実行可能コードを記憶したコンピュータ可読記憶媒体を含み、実行可能コードが、少なくとも１つのデータ処理装置によって実行されたときに、少なくとも１つのデータ処理装置に、１つまたは複数のリソース対のそれぞれのリソースの受信電力を測定することであって、１つまたは複数のリソース対のうちのそれぞれのリソース対が、第１のリソース型のリソースと、第２のリソース型の一組のリソースとを含み、第１のリソース型のリソースが、第２のリソース型の一組のリソースと空間的に準コロケーション関係にある、測定すること、結合準コロケーション多数リソースビーム報告を提供するために、測定することによって得た最も強い受信電力または最も強い集約受信電力に基づいて、１つまたは複数のリソース対の中から１つのリソース対を選択すること、結合準コロケーション多数リソースビーム報告をユーザデバイスによって作成することを含み、結合準コロケーション多数リソースビーム報告が、選択されたリソース対の第１のリソース型のリソースと第２のリソース型の一組のリソースのそれぞれのリソースとを含む、選択されたリソース対のそれぞれのリソースについて、リソースと、対応する測定された受信電力とを指示する、作成すること、およびこの結合準コロケーション多数リソースビーム報告をユーザデバイスによって送信することを制御することを含む、方法を実行させるように構成されている。
【０００８】
例示的な一実施態様によれば、装置が、１つまたは複数のリソース対のそれぞれのリソースの受信電力を測定するための手段であって、１つまたは複数のリソース対のうちのそれぞれのリソース対が、第１のリソース型のリソースと、第２のリソース型の一組のリソースとを含み、第１のリソース型のリソースが、第２のリソース型の一組のリソースと空間的に準コロケーション関係にある、測定するための手段と、結合準コロケーション多数リソースビーム報告を提供するために、測定することによって得た最も強い受信電力または最も強い集約受信電力に基づいて、１つまたは複数のリソース対の中から１つのリソース対を選択するための手段と、結合準コロケーション多数リソースビーム報告をユーザデバイスによって作成するための手段であって、結合準コロケーション多数リソースビーム報告が、選択されたリソース対の第１のリソース型のリソースと第２のリソース型の一組のリソースのそれぞれのリソースとを含む、選択されたリソース対のそれぞれのリソースについて、リソースと、対応する測定された受信電力とを指示する、作成するための手段と、結合準コロケーション多数リソースビーム報告をユーザデバイスによって送信することを制御するための手段とを含む。
【０００９】
例示的な一実施態様によれば、方法が、１つまたは複数のリソース対のそれぞれのリソースの受信電力を測定することであって、１つまたは複数のリソース対のうちのそれぞれのリソース対が、同期信号ブロック（ｓｙｎｃｈｒｏｎｉｚａｔｉｏｎ  ｓｉｇｎａｌ  ｂｌｏｃｋ）リソースと、一組のチャネル状態情報−基準信号（ｃｈａｎｎｅｌ  ｓｔａｔｅ  ｉｎｆｏｒｍａｔｉｏｎ−ｒｅｆｅｒｅｎｃｅ  ｓｉｇｎａｌ）リソースとを含み、同期信号ブロックリソースが、一組のチャネル状態情報−基準信号リソースと空間的に準コロケーション関係にある、測定すること、結合準コロケーション多数リソースビーム報告を提供するために、測定することによる最も強い受信電力または最も強い集約受信電力に基づいて、１つまたは複数のリソース対の中から１つのリソース対を選択すること、結合準コロケーション多数リソースビーム報告をユーザデバイスによって作成することであって、結合準コロケーション多数リソースビーム報告が、選択されたリソース対の同期信号ブロックリソースのリソース指示および測定された受信電力、リソース対の一組のチャネル状態情報−基準信号リソースのリソース指示、ならびにリソース対の一組のチャネル状態情報−基準信号リソースのそれぞれのリソースの測定された受信電力を指示する情報を含む、作成すること、および結合準コロケーション多数リソースビーム報告をユーザデバイスによって送信することを制御することを含む。
【００１０】
例示的な一実施態様によれば、装置が、少なくとも１つのプロセッサと、コンピュータ命令を含む少なくとも１つのメモリとを含み、コンピュータ命令が、この少なくとも１つのプロセッサによって実行されたときに、装置に、１つまたは複数のリソース対のそれぞれのリソースの受信電力を測定することであって、１つまたは複数のリソース対のうちのそれぞれのリソース対が、同期信号ブロックリソースと、一組のチャネル状態情報−基準信号リソースとを含み、同期信号ブロックリソースが、一組のチャネル状態情報−基準信号リソースと空間的に準コロケーション関係にある、測定すること、この装置に、結合準コロケーション多数リソースビーム報告を提供するために、測定することによる最も強い受信電力または最も強い集約受信電力に基づいて、１つまたは複数のリソース対の中から１つのリソース対を選択すること、結合準コロケーション多数リソースビーム報告をユーザデバイスによって作成することであって、結合準コロケーション多数リソースビーム報告が、選択されたリソース対の同期信号ブロックリソースのリソース指示および測定された受信電力、リソース対の一組のチャネル状態情報−基準信号リソースのリソース指示、ならびにリソース対の一組のチャネル状態情報−基準信号リソースのそれぞれのリソースの測定された受信電力を指示する情報を含む、作成すること、および結合準コロケーション多数リソースビーム報告をユーザデバイスによって送信することを制御することを実行させる。
【００１１】
例示的な一実施態様によれば、コンピュータプログラム製品が、実行可能コードを記憶したコンピュータ可読記憶媒体を含み、実行可能コードが、少なくとも１つのデータ処理装置によって実行されたときに、少なくとも１つのデータ処理装置に、方法が、１つまたは複数のリソース対のそれぞれのリソースの受信電力を測定することであって、１つまたは複数のリソース対のうちのそれぞれのリソース対が、同期信号ブロックリソースと、一組のチャネル状態情報−基準信号リソースとを含み、同期信号ブロックリソースが、一組のチャネル状態情報−基準信号リソースと空間的に準コロケーション関係にある、測定すること、結合準コロケーション多数リソースビーム報告を提供するために、測定することによる最も強い受信電力または最も強い集約受信電力に基づいて、１つまたは複数のリソース対の中から１つのリソース対を選択すること、結合準コロケーション多数リソースビーム報告をユーザデバイスによって作成することであって、結合準コロケーション多数リソースビーム報告が、選択されたリソース対の同期信号ブロックリソースのリソース指示および測定された受信電力、リソース対の一組のチャネル状態情報−基準信号リソースのリソース指示、ならびにリソース対の一組のチャネル状態情報−基準信号リソースのそれぞれのリソースの測定された受信電力を指示する情報を含む、作成すること、および結合準コロケーション多数リソースビーム報告をユーザデバイスによって送信することを制御することを含む、方法を実行させるように構成されている。
【００１２】
例示的な一実施態様によれば、装置が、１つまたは複数のリソース対のそれぞれのリソースの受信電力を測定するための手段であって、１つまたは複数のリソース対のうちのそれぞれのリソース対が、同期信号ブロックリソースと、一組のチャネル状態情報−基準信号リソースとを含み、同期信号ブロックリソースが、一組のチャネル状態情報−基準信号リソースと空間的に準コロケーション関係にある、測定するための手段と、結合準コロケーション多数リソースビーム報告を提供するために、測定による最も強い受信電力または最も強い集約受信電力に基づいて、１つまたは複数のリソース対の中から１つのリソース対を選択する手段と、結合準コロケーション多数リソースビーム報告をユーザデバイスによって作成する手段であって、結合準コロケーション多数リソースビーム報告が、選択されたリソース対の同期信号ブロックリソースのリソース指示および測定された受信電力、リソース対の一組のチャネル状態情報−基準信号リソースのリソース指示、ならびにリソース対の一組のチャネル状態情報−基準信号リソースのそれぞれのリソースの測定された受信電力を指示する情報を含む、作成する手段と、結合準コロケーション多数リソースビーム報告をユーザデバイスによって送信することを制御する手段とを含む。
【００１３】
例示的な一実施態様によれば、方法が、１つまたは複数のリソース対について、リソース対の第１のリソース型のリソースがリソース対の第２のリソース型の一組のリソースと空間的に準コロケーション関係にあることを指示する準コロケーション情報を、基地局によって送信することを制御すること、およびユーザデバイスからの結合準コロケーション多数リソースビーム報告を基地局によって受信することを制御することを含み、結合準コロケーション多数リソースビーム報告が、選択されたリソース対の第１のリソース型のリソースと第２のリソース型の一組のリソースのそれぞれのリソースとを含む、選択されたリソース対のそれぞれのリソースについて、リソースと、対応する受信電力とを指示する。
【００１４】
例示的な一実施態様によれば、装置が、少なくとも１つのプロセッサと、コンピュータ命令を含む少なくとも１つのメモリとを含み、コンピュータ命令が、少なくとも１つのプロセッサによって実行されたときに、装置に、１つまたは複数のリソース対について、リソース対の第１のリソース型のリソースがリソース対の第２のリソース型の一組のリソースと空間的に準コロケーション関係にあることを指示する準コロケーション情報を、基地局によって送信することを制御すること、およびユーザデバイスからの結合準コロケーション多数リソースビーム報告を基地局によって受信することを制御することを実行させ、結合準コロケーション多数リソースビーム報告が、選択されたリソース対の第１のリソース型のリソースと第２のリソース型の一組のリソースのそれぞれのリソースとを含む、選択されたリソース対のそれぞれのリソースについて、リソースと、対応する受信電力とを指示する。
【００１５】
例示的な一実施態様によれば、コンピュータプログラム製品が、実行可能コードを記憶したコンピュータ可読記憶媒体を含み、実行可能コードが、少なくとも１つのデータ処理装置によって実行されたときに、少なくとも１つのデータ処理装置に、１つまたは複数のリソース対について、リソース対の第１のリソース型のリソースがリソース対の第２のリソース型の一組のリソースと空間的に準コロケーション関係にあることを指示する準コロケーション情報を、基地局によって送信することを制御すること、およびユーザデバイスからの結合準コロケーション多数リソースビーム報告を基地局によって受信することを制御することを含む、方法を実行させるように構成されており、結合準コロケーション多数リソースビーム報告が、選択されたリソース対の第１のリソース型のリソースと第２のリソース型の一組のリソースのそれぞれのリソースとを含む、選択されたリソース対のそれぞれのリソースについて、リソースと、対応する受信電力とを指示する。
【００１６】
例示的な一実施態様によれば、装置が、１つまたは複数のリソース対について、リソース対の第１のリソース型のリソースがリソース対の第２のリソース型の一組のリソースと空間的に準コロケーション関係にあることを指示する準コロケーション情報を、基地局によって送信することを制御する手段と、ユーザデバイスからの結合準コロケーション多数リソースビーム報告を基地局によって受信することを制御する手段とを含み、結合準コロケーション多数リソースビーム報告が、選択されたリソース対の第１のリソース型のリソースと第２のリソース型の一組のリソースのそれぞれのリソースとを含む、選択されたリソース対のそれぞれのリソースについて、リソースと、対応する受信電力とを指示する。
【００１７】
実施態様の１つまたは複数の例の詳細は、添付図面および以下の説明に示されている。他の特徴は、以下の説明および添付図面ならびに特許請求項から明らかとなる。
【図面の簡単な説明】
【００１８】
【図１】例示的な一実施態様に基づく無線ネットワークのブロック図である。
【図２】例示的な一実施態様に基づく、空間ビームドメイン（ｓｐａｔｉａｌ  ｂｅａｍ  ｄｏｍａｉｎ）内の空間ビームドメイン内における結合準コロケーション関係（ｑｕａｓｉ−ｃｏｌｏｃａｔｅｄ：ＱＣＬ）ＳＳＢ−ＣＳＩ−ＲＳビーム報告対の一例を示す図である。
【図３】例示的な一実施態様に基づく、空間ビームドメイン内における多数のリソース対にわたる結合準コロケーション関係（ＱＣＬ）ＳＳＢ−ＣＳＩ−ＲＳビーム報告対の一例を示す図である。
【図４】例示的な一実施態様に基づくユーザデバイスの動作を示す図である。
【図５】例示的な一実施態様に基づくユーザデバイスの動作を示す図である。
【図６】例示的な一実施態様に基づく基地局の動作を示す流れ図である。
【図７】例示的な一実施態様に基づくノードまたは無線局（例えば基地局／アクセスポイントまたは移動局／ユーザデバイス）のブロック図である。
【発明を実施するための形態】
【００１９】
図１は、例示的な一実施態様に基づく無線ネットワーク１３０のブロック図である。図１の無線ネットワーク１３０では、移動局（ｍｏｂｉｌｅ  ｓｔａｔｉｏｎ：ＭＳ）またはユーザ機器（ＵＥ）と呼ばれることもあるユーザデバイス１３１、１３２、１３３および１３５が、アクセスポイント（ＡＰ）、エンハンストノードＢ（ｅＮＢ）、ｇＮＢまたはネットワークノードと呼ばれることもある基地局（ｂａｓｅ  ｓｔａｔｉｏｎ：ＢＳ）１３４に接続（連絡）されていてもよい。アクセスポイント（ＡＰ）、基地局（ＢＳ）または（ｅ）ノードＢ（ｅＮＢ）の機能の少なくとも一部が、リモートラジオヘッド（ｒｅｍｏｔｅ  ｒａｄｉｏ  ｈｅａｄ）などのトランシーバに動作可能に結合されていてもよい任意のノード、サーバまたはホストによって実行されてもよい。ＢＳ（またはＡＰ）１３４は、ユーザデバイス１３１、１３２、１３３および１３５への無線カバレージを含む、セル１３６内の無線カバレージを提供する。ＢＳ１３４に接続または結合された４つのユーザデバイスだけが示されているが、任意の数のユーザデバイスを提供することができる。ＢＳ１３４はさらに、Ｓ１インタフェース１５１を介してコアネットワーク１５０に接続されている。このネットワークは無線ネットワークの単純な１つの例にすぎず、他の無線ネットワークを使用することもできる。
【００２０】
ユーザデバイス（ユーザ端末、ユーザ機器（ＵＥ）または移動局）は、加入者識別モジュール（ｓｕｂｓｃｒｉｂｅｒ  ｉｄｅｎｔｉｆｉｃａｔｉｏｎ  ｍｏｄｕｌｅ：ＳＩＭ）を用いてまたはＳＩＭなしで動作する無線移動通信デバイスを含んだ携帯型コンピューティングデバイスを指すことがあり、例として、限定はされないが、以下のタイプのデバイスを含む：移動局（ＭＳ）、移動電話、セル式電話、スマートフォン、パーソナルディジタルアシスタント（ＰＤＡ）、手持送受話器（ｈａｎｄｓｅｔ）、無線モデムを使用したデバイス（警報または測定デバイスなど）、ラップトップおよび／またはタッチスクリーンコンピュータ、タブレット、ファブレット（ｐｈａｂｌｅｔ）、ゲーム機、ノートブック、およびマルチメディアデバイス。ユーザデバイスが、ほぼそれだけに使用されるアップリンク専用デバイスであることもあることを理解すべきであり、デバイスの例は、画像またはビデオクリップをネットワークにロードするカメラまたはビデオカメラである。
【００２１】
（一例として）ＬＴＥでは、コアネットワーク１５０が、エボルブドパケットコア（Ｅｖｏｌｖｅｄ  Ｐａｃｋｅｔ  Ｃｏｒｅ：ＥＰＣ）と呼ばれることがあり、ＥＰＣは、ＢＳ間のユーザデバイスのモビリティ／ハンドオーバを処理またはサポートすることができるモビリティ管理エンティティ（ｍｏｂｉｌｉｔｙ  ｍａｎａｇｅｍｅｎｔ  ｅｎｔｉｔｙ：ＭＭＥ）、ＢＳおよびパケットデータネットワークまたはインターネット間でデータおよび制御信号を転送することができる１つもしくは複数のゲートウェイ、ならびに他の制御機能またはブロックを含むことがある。
【００２２】
さらに、解説のための例（以後、解説例）として、本明細書に記載された例示的なさまざまな実施態様または技法は、さまざまなタイプのユーザデバイスもしくはデータサービスタイプに適用することができ、または異なるデータサービスタイプのアプリケーションであることがある多数のアプリケーションがその上で実行されることがあるユーザデバイスに適用することができる。Ｎｅｗ  Ｒａｄｉｏ（５Ｇ）の展開は、例えばマシンタイプ通信（ｍａｃｈｉｎｅ  ｔｙｐｅ  ｃｏｍｍｕｎｉｃａｔｉｏｎｓ：ＭＴＣ）、エンハンストマシンタイプ通信（ｅｈｈａｎｃｅｄ  ｍａｃｈｉｎｅ  ｔｙｐｅ  ｃｏｍｍｕｎｉｃａｔｉｏｎ：ｅＭＴＣ）、インターネットオブシングス（ＩｏＴ）および／または狭帯域ＩｏＴユーザデバイス、エンハンストモバイルブロードバンド（ｅＭＢＢ）、セルフバックホーリング（ｓｅｌｆ−ｂａｃｋｈａｕｌｉｎｇ）を含む無線中継、Ｄ２Ｄ（デバイスツーデバイス（ｄｅｖｉｃｅ−ｔｏ−ｄｅｖｉｃｅ））通信、ならびに超高信頼低遅延通信（ｕｌｔｒａ−ｒｅｌｉａｂｌｅ  ａｎｄ  ｌｏｗ−ｌａｔｅｎｃｙ  ｃｏｍｍｕｎｉｃａｔｉｏｎｓ：ＵＲＬＬＣ）などのいくつかの異なるアプリケーションまたはいくつかの異なるデータサービスタイプをサポートすることができる。シナリオは、認可された従来の帯域動作と無認可の帯域動作の両方をカバーすることがある。
【００２３】
ＩｏＴは、成長し続けている一群のオブジェクトであって、それらのオブジェクトが他のネットワークデバイスに情報を送信し、他のネットワークデバイスから情報を受信することができるようにインターネット接続性またはネットワーク接続性を有することができる一群のオブジェクトを指すことがある。例えば、多くのセンサ型アプリケーションまたはデバイスは、物理的状態または状況を監視することができ、例えば１つの事象が生じたときに、サーバまたは他のネットワークデバイスに報告を送信することができる。マシンタイプ通信（ＭＴＣ、またはマシンツーマシン（Ｍａｃｈｉｎｅ  ｔｏ  Ｍａｃｈｉｎｅ）通信）は例えば、人間の介入を伴うまたは人間の介入を伴わないインテリジェントマシン間の完全自動のデータ生成、交換、処理および作動によって特徴づけられることがある。エンハンストモバイルブロードバンド（ｅＭＢＢ）は、ＬＴＥで現在使用なデータ転送速度よりもはるかに速いデータ転送速度をサポートすることができる。
【００２４】
超高信頼低遅延通信（ＵＲＬＬＣ）は、Ｎｅｗ  Ｒａｄｉｏ（５Ｇ）システムのためにサポートされることがある、新しいデータサービスタイプまたは新しい使用シナリオである。ＵＲＬＬＣは、産業自動化、自律運転、車両安全、ｅ保健サービスなどの新興の新しいアプリケーションおよびサービスを可能にする。解説例として、３ＧＰＰは、１０-5のブロック誤り率（ｂｌｏｃｋ  ｅｒｒｏｒ  ｒａｔｅ：ＢＬＥＲ）に対応する信頼性と１ミリ秒までのＵ−プレーン（Ｕ−Ｐｌａｎｅ）（ユーザ／データプレーン）待ち時間とを有する接続性を提供することを目標としている。したがって、例えば、ＵＲＬＬＣユーザデバイス／ＵＥは、他のタイプのユーザデバイス／ＵＥよりもかなり低いブロック誤り率、および（同時に高い信頼性を要求するかまたは要求しない）低い待ち時間を要求することがある。
【００２５】
これらの例示的なさまざまな実施態様は、ＬＴＥ、ＬＴＥ−Ａ、５Ｇ、ｃｍＷａｖｅおよび／もしくはｍｍＷａｖｅ帯ネットワーク、ＩｏＴ、ＭＴＣ、ｅＭＴＣ、ｅＭＢＢ、ＵＲＬＬＣなど、または他の任意の無線ネットワークもしくは無線技術などの多種多様な無線技術または無線ネットワークに適用することができる。これらの例示的なネットワーク、技術またはデータサービスタイプは単に解説例として提供しただけである。
【００２６】
ＬＴＥネットワーク内の現在のアーキテクチャは、無線においては完全に分散化されており、コアネットワークにおいては完全に集中化されている。比較的に低い待ち時間は、無線の近くに内容物が運ばれることを要求することがあり、このことは、ローカルブレークアウト（ｌｏｃａｌ  ｂｒｅａｋ−ｏｕｔ）および多重アクセスエッジコンピューティング（ｍｕｌｔｉ−ａｃｃｅｓｓ  ｅｄｇｅ  ｃｏｍｐｕｔｉｎｇ：ＭＥＣ）につながる。例示的な一実施態様によれば、５Ｇが、エッジクラウドおよびローカルクラウドアーキテクチャを使用することができる。エッジコンピューティングは、無線センサネットワーク、移動データ取得、移動署名（ｓｉｇｎａｔｕｒｅ）解析、ローカルクラウド／フォグ（ｆｏｇ）コンピューティングおよびグリッド／メッシュコンピューティングとしても分類可能な協調型分散型ピアツーピアアドホックネットワーキング（ｃｏｏｐｅｒａｔｉｖｅ  ｄｉｓｔｒｉｂｕｔｅｄ  ｐｅｅｒ−ｔｏ−ｐｅｅｒ  ａｄ  ｈｏｃ  ｎｅｔｏｗｏｒｋｉｎｇ）および処理、デュー（ｄｅｗ）コンピューティング、モバイルエッジコンピューティング、クラウドレット（ｃｌｏｕｄｌｅｔ）、分散型データ記憶および検索、自律型自己治癒ネットワーク（ａｕｔｏｎｏｍｉｃ  ｓｅｌｆ−ｈｅａｌｉｎｇ  ｎｅｔｏｒｋ）、リモートクラウドサービスならびに拡張現実などの広範囲の技術をカバーする。例示的な一実施態様では、無線通信においてエッジクラウドを使用することが、無線部分（中央ユニットおよび／または分散ユニット）を備えるリモートラジオヘッドまたは基地局に動作可能に結合されたサーバ、ホストまたはノードで、ノード動作が少なくとも部分的に実行されることを意味することがある。さらに、例示的な一実施態様では、複数のサーバ、ノードまたはホスト間でノード動作を分散化することができる。コアネットワーク動作と基地局動作の間の作業の分散化は、ＬＴＥの作業の分散化とは異なることがあること、または存在しないことさえあることも理解されるべきである。使用される可能性がある他のいくつかの技術進歩には、ソフトウェアデファインドネットワーキング（Ｓｏｆｔｗａｒｅ−Ｄｅｆｉｎｅｄ  Ｎｅｔｗｏｒｋｉｎｇ：ＳＤＮ）、ビッグデータ（Ｂｉｇ  Ｄａｔａ）およびａｌｌ−ＩＰが含まれ、これらは、ネットワークが構築および管理される方式を変化させる可能性がある。
【００２７】
例示的な一実施態様によれば、無線通信性能を向上させるために、受信器および／または送信器によってビームフォーミング（ｂｅａｍｆｏｒｍｉｎｇ）が使用されてもよい。例示的な一実施態様では、送信器において、信号の送信時または送信中に、信号を特定の送信ビームに載せて送信するために、（例えばそれぞれのビーム重みが利得および／または位相を有する）一組の送信ビーム重みが一組のアンテナに適用されてもよい。さらに、受信器において、受信ビームを介して信号を受信するために、アンテナのアレイに一組の受信ビーム重みが適用されてもよい。したがって、ビームフォーミングでは、それぞれの送信器／受信器信号に、それぞれのアンテナアレイへの信号およびそれぞれのアンテナアレイからの信号の位相および／または大きさを調整する複雑な一組の重みが乗じられることがある。アンテナのアレイにビーム重みを適用することにより、これによって、アンテナのアレイからの出力が、所望の方向に、送信器において送信ビームを形成し、受信器において受信ビームを形成し、他の方向の信号出力を低下させる。
【００２８】
例示的な一実施態様によれば、ＢＳ（例えばｇＮＢと呼ばれることがある５Ｇ  ＢＳまたは他のＢＳ）が同期信号ブロック（ＳＳブロックまたはＳＳＢ）を送信することができ、ＳＳＢを、１つまたは複数のＵＥ／ユーザデバイスが受信することができる。ＳＳＢは、ＵＥがＢＳと同期することおよびＵＥがＢＳへのランダムアクセスを実行することを可能にする同期信号を含むことができる。例示的な一実施態様では、ＳＳブロックが例えば、１次同期信号（ｐｒｉｍａｒｙ  ｓｙｎｃｈｒｏｎｉｚａｔｉｏｎ  ｓｉｇｎａｌ：ＰＳＳ）、２次同期信号（ｓｅｃｏｎｄａｒｙ  ｓｙｎｃｈｒｏｎｉｚａｔｉｏｎ  ｓｉｇｎａｌ：ＳＳＳ）、物理同報制御チャネル（ｐｈｙｓｉｃａｌ  ｂｒｏａｄｃａｓｔ  ｃｏｎｔｒｏｌ  ｃｈａｎｎｅｌ：ＰＢＣＨ）および復調基準信号（ｄｅｍｏｄｕｌａｔｉｏｎ  ｒｅｆｅｒｅｎｃｅ  ｓｉｇｎａｌ：ＤＭＲＳ）のうちの１つもしくは複数または全部を含むことができる。解説例として、ＰＳＳおよびＳＳＳは、ＵＥが、初期システム取得（ｉｎｉｔｉａｌ  ｓｙｓｔｅｍ  ａｃｑｕｉｓｉｔｉｏｎ）を得ることを可能にすることができ、初期システム取得は例えば、（例えばシンボルおよびフレームタイミングを含む）初期時間同期、初期周波数同期、および（例えばセルの物理セルＩＤを得ることを含む）セル取得を得ることを含むことがある。さらに、ＵＥが、ＤＭＲＳおよびＰＢＣＨを使用してスロットおよびフレームタイミングを決定することもできる。
【００２９】
基地局（ＢＳ）は、異なるビームを時間間隔ごとに適用し、それぞれの送信ビームを介してＳＳＢを送信することにより、リソースに関連づけられた一群のＳＳＢビームをスイープすることができる。これによって、セルの全エリアにわたってＳＳＢを送信することを可能にすることができる。ＵＥは、信号パラメータ、例えば受信した１つまたは複数のＳＳＢの基準信号受信電力（ｒｅｒｆｅｒｅｎｃｅ  ｓｉｇｎａｌ  ｒｅｃｅｉｖｅｄ  ｐｏｗｅｒ：ＲＳＲＰ）を測定することができ、次いで、最も優れたまたは最も強いＳＳＢに関連づけられたランダムアクセスプリアンブル（ｒａｎｄａｍ  ａｃｃｅｓｓ  ｐｒｅａｍｂｌｅ）を送信することができる（それぞれのＳＳＢは合成ビーム（ｃｏｍｐｏｓｉｔｅ  ｂｅａｍ）に関連づけられており、または特定の送信ビームを介して送信される）。例えば、ＳＳＢは、例えばＵＥ同期および初期アクセスに使用されるために、比較的に幅の広い一組のビームおよびその中のリソースを介して送信することができる。
【００３０】
さらに、ＢＳは、リソースに関連づけられたそれぞれの複数のビームを介して、チャネル状態情報−基準信号（ＣＳＩ−ＲＳ）を送信することもできる。例示的な一実施態様では、ＣＳＩ−ＲＳが、ＳＳＢを送信するために使用されるビームよりも幅が狭い一組の送信ビームを介して送信されてもよい。ＣＳＩ−ＲＳ信号は例えば、ＵＥが、ＢＳとの通信に使用することができるより幅の狭いビーム（または送信／受信ビーム対）を測定および選択することを可能にすることができる。例示的な一実施態様によれば、受信したＳＳＢに基づいて同期を実行し、ＢＳとの接続を確立した後に、ＵＥは次いで、チャネル状態情報−基準信号（ＣＳＩ−ＲＳ）をＢＳから受信することができる。ＵＥは、リソースに関連づけられた１つまたは複数のビームを介して受信したＣＳＩ−ＲＳの信号パラメータ、例えばＲＳＲＰを測定することができ、それらのＣＳＩ−ＲＳの中から、最も優れたまたは最も強い（最も高い測定された受信電力）の１つのＣＳＩ−ＲＳを選択すること（したがって最も優れたまたは最も強いＣＳＩ−ＲＳリソースおよび関連ビームを選択すること）ができる。
【００３１】
したがって、それぞれのＳＳＢをビーム（または空間ドメインフィルタ）に関連づけることができ、時間−周波数リソースを介して送信することができる。さらに、それぞれのＣＳＩ−ＲＳはビーム（または空間ドメインフィルタ）に関連づけられ、時間−周波数リソースを介して送信される。
【００３２】
例示的な一実施態様では、ＵＥが、（関連ビームにマップされたまたは割り当てられた）時間−周波数リソースを識別するためのＳＳＢリソースインジケータ（ｒｅｓｏｕｒｃｅ  ｉｎｄｉｃａｔｏｒ）（例えばＳＳＢリソースインデックス（ｒｅｓｏｕｒｃｅ  ｉｎｄｅｘ）。これはＳＳＢＲＩと呼ばれることがある）、および最も優れたまたは最も強い測定されたＳＳＢの測定された受信電力（または他の信号パラメータ）を識別するためのビーム報告を送信してもよい。ＵＥはさらに、（関連ビームにマップされた）時間−周波数リソースを識別するためのＣＳＩ−ＲＳリソースインジケータ／インデックス（ＣＲＩ）、および最も優れたまたは最も強い測定されたＣＳＩ−ＲＳの測定された受信電力（ＲＳＲＰ）（または他の信号パラメータ）を識別するためのビーム報告を送信することができる。それぞれのＣＳＩ−ＲＳリソースを、ビーム、例えばそれぞれのＣＳＩ−ＲＳ信号を送信するために使用される特定のビームにマップするかまたは割り当てることができる。
【００３３】
例としての例示的な一実施態様では、ＳＳＢリソース（例えばＳＳＢを送信するのに使用されるビームに関連づけられた時間−周波数リソース）が、一組の（１つまたは複数の）ＣＳＩ−ＲＳＩリソース（例えば時間−周波数リソースおよびＣＳＩ−ＲＳ信号を送信するために使用される関連ビーム）と空間的に準コロケーション関係（ＱＣＬ関係）にあってもよい。空間的準コロケーション（空間的ＱＣＬ）は、リソース間で同じまたは同様の空間特性を共有する（関連ビームを含む）２つのリソースのことを指す。例えば、２つのリソース（２つの時間−周波数リソースおよび関連ビーム）が空間的に準コロケーション（ＱＣＬ）関係にある場合、このことは、２つのリソース／ビームが、これらの２つのリソース間で同じまたは同様の空間特性を共有していることを意味する。例示的な一実施態様では、２つの異なる信号（例えばＳＳＢリソースおよびＣＳＩ−ＲＳ）が、２つのリソースにわたって、少なくとも部分的に空間的に重なっている２つのビームを介して送信されてもよい。例えば、ＳＳＢは、一組のＣＳＩ−ＲＳ信号を送信するために使用される幅の狭い一組のビームと少なくとも部分的に重なるより幅の広いビームを介して送信されてもよい。このような解説例では、ＳＳＢリソース／ビームが、一組のＣＳＩ−ＲＳリソース／ビームと準コロケーション関係にあってもよい。さらに、例えば時間、遅延スプレッド、ドップラーシフト／スプレッド、平均電力など、他のＱＣＬパラメータが存在してもよい。
【００３４】
例示的な一実施態様によれば、ＳＳＢリソースおよびＣＳＩ−ＲＩリソースに関してリソースおよび測定された電力を別々に報告するために、ＵＥが別個のビーム報告を送信してもよい。例えば、最も優れた／最も強いＳＳＢリソースを報告するために（したがってＳＳＢを送信するために使用された最も優れた／最も強いビームを識別するために）、第１のビーム報告を使用することができる。最も優れた／最も強い一組のＣＳＩ−ＲＳリソースを報告するために（したがってＣＳＩ−ＲＳ信号を送信するために使用された一組の最も優れたビームを識別するために）、第２のビーム報告を使用することができる。
【００３５】
しかしながら、報告効率を向上させるため、および／または報告／シグナリングオーバヘッドを低減させるために、ＵＥは、ＳＳＢリソースとＣＳＩ−ＲＳリソースの両方など、多数のタイプのリソースのビーム報告を結合することができる。したがって、例示的な一実施態様によれば、ＵＥが、準コロケーション関係にある一対のリソースの結合ビーム報告を作成および送信してもよい。このような結合ビーム報告は例えば、準コロケーション関係にある２つの（または多数の）リソース（異なるリソース型）の測定された電力（または他の信号パラメータ）を結合して（ｊｏｉｎｔｌｙ）報告する、結合準コロケーション多数リソースビーム報告と呼ぶことができる。例えば、報告されている２つのリソース（またはリソース型）が、ＱＣＬ関係にあるＳＳＢリソースと一組のＣＳＩ−ＲＳリソースである場合、結合ビーム報告を、結合ＱＣＬ  ＳＳＢ−ＣＳＩ−ＲＳビーム報告（または結合ＱＣＬ  ＳＳＢ−ＣＳＩ−ＲＳ報告対）と呼ぶことができる。
【００３６】
例示的な一実施態様によれば、方法が、１つまたは複数のリソース対のそれぞれのリソースの受信電力（例えば基準信号受信電力すなわちＲＳＲＰ）を測定することを含み、１つまたは複数のリソース対のうちのそれぞれのリソース対が、第１のリソース型のリソース（例えばＳＳＢリソース）と、第２のリソース型の一組のリソース（例えば一組のＣＳＩ−ＲＳリソース）とを含み、第１のリソース型のリソースが、第２のリソース型の一組のリソースと空間的に準コロケーション関係にある。例えば、ＵＥは、１つまたは複数のリソース対のリソースを識別するコロケーション情報、例えば空間的に準コロケーション関係にあるリソース対のＳＳＢリソースおよび一組のＣＳＩ−ＲＳリソースを識別することができるコロケーション情報を受信することができる。例えば、準コロケーション関係にあるリソース対の測定された電力は、結合準コロケーション多数リソースビーム報告に含めて報告される可能性がある。
【００３７】
方法はさらに、結合準コロケーション多数リソースビーム報告を提供するために、測定することによって得た最も強い受信電力（例えば最も強いＲＳＲＰ）または最も強い集約受信電力（例えばその対の第１および第２の型のリソースの最も強いまたは最も高い平均ＲＳＲＰ）に基づいて、１つまたは複数のリソース対の中から１つのリソース対を選択することを含むことができる。結合準コロケーション多数リソースビーム報告を介して報告する（例えば結合ＱＣＬ  ＳＳＢ−ＳＣＩ−ＲＳビーム報告または報告対を介して報告する）最も強いまたは最も優れたリソース対を選択するために、例えばそれぞれの対のＳＳＢ  ＲＳＲＰ、集約（例えば平均）ＣＳＩ−ＲＳ  ＲＳＲＰ、またはそれぞれの対のＳＳＢおよびＣＳＩ−ＲＳリソースの集約（もしくは平均）ＲＳＲＰなど、異なる選択基準を使用することができる。
【００３８】
上述のとおり、報告するリソース対を選択するために、ＵＥは、異なる選択基準を使用することができる。例示的な一実施態様では、選択することが、１）１つまたは複数のリソース対の中から、リソース対の第１のリソース型のリソースの最も強い受信電力を有する１つのリソース対を（例えばリソース対のＳＳＢリソースの最も強いＲＳＲＰに基づいて）選択すること、２）１つまたは複数のリソース対の中から、リソース対の第２のリソース型の一組のリソースにわたって計算した最も強い集約受信電力を有する１つのリソース対を（リソース対の一組のＣＳＩ−ＲＳリソースにわたって計算した最も強い集約（例えば平均）電力に基づいて）選択すること、および３）１つまたは複数のリソース対の中から、リソース対の第１のリソース型のリソースとリソース対の第２のリソース型の一組のリソースの両方にわたって計算した最も強い集約受信電力を有する１つのリソース対を（リソース対のＳＳＢリソースと一組のＣＳＩ−ＲＳリソースの両方にわたって計算した最も強い集約（例えば平均）電力に基づいて）選択すること、のうちの少なくとも１つを含むことができる。
【００３９】
方法はさらに、結合準コロケーション多数リソースビーム報告をユーザデバイスによって作成（または生成）することを含むことができ、この結合準コロケーション多数リソースビーム報告は、選択されたリソース対の第１のリソース型のリソース（例えばＳＳＢリソース）と第２のリソース型の一組のリソース（例えば一組のＣＳＩ−ＲＳリソース）のそれぞれのリソースとを含む、選択されたリソース対のそれぞれのリソースについて、リソース（例えばＳＳＢＲＩ、ＣＲＩ）と、対応する測定された受信電力（ＲＳＲＰ、量子化された（ｑｕａｎｔｉｚｅｄ）電力値、または基準電力値に対する電力オフセット）とを指示する。方法はさらに、この結合準コロケーション多数リソースビーム報告を、ＢＳまたは他のノードに、ユーザデバイスによって送信することを制御することを含むことができる。
【００４０】
次に、報告するリソース対を３つの異なる選択基準を使用して選択する解説例を簡潔に説明する。例えば、ＵＥは、リソース対１の第１のＳＳＢリソースと第１の一組のＣＳＩ−ＲＳリソースとが空間的にＱＣＬであること、およびリソース対２の第２のＳＳＢリソースと第２の一組のＣＳＩ−ＲＳリソースとが空間的にＱＣＬであることを指示する準コロケーション情報を、ＢＳまたはネットワークノードから受信することができる。例えば、準コロケーション情報は、それぞれのリソース対のリソースインジケータ（例えばＳＳＢリソースインジケータ（ＳＳＢＲＩ）および一組のＣＳＩ−ＲＳリソースインジケータ（ＣＲＩ））を提供することができる。
【００４１】
ＵＥは、ＱＣＬリソース対のうちのそれぞれのリソースのそれぞれの受信電力（例えばレイヤ１またはＰＨＹ／物理層ＲＳＲＰ（Ｌ１−ＲＳＲＰ））を測定することができる。したがって、例えば、ＵＥは、ＱＣＬ状態にあるそれぞれのリソース対について、一組のリソースのＳＳＢリソースおよびそれぞれのＣＳＩ−ＲＳリソースのＲＳＲＰを測定する。解説例として、リソース対１およびリソース対２のリソースの測定されたＲＳＲＰが例えば以下のとおりであるとしてもよい（この解説例では、１つのＳＳＢリソースが、４つのＳＳＩ−ＲＳリソースからなる一組のＳＳＩ−ＲＳリソースと空間的に準コロケーション関係にある（ＱＣＬ関係にある）とみなすことができる）。
リソース対１：ＳＳＢ−２０（ＲＳＲＰ＝−８０ｄＢｍ）、ＣＲＩ−２（ＲＳＲＰ＝−７８ｄＢｍ）、ＣＲＩ−５（ＲＳＲＰ＝−７８ｄＢｍ）、ＣＲＩ−７（ＲＳＲＰ＝−５４ｄＢｍ）、ＣＲＩ−９（ＲＳＲＰ＝−５８ｄＢｍ）。
リソース対２：ＳＳＢ−１６（ＲＳＲＰ＝−６０ｄＢｍ）、ＣＲＩ−３１（ＲＳＲＰ＝−５９ｄＢｍ）、ＣＲＩ−２１（ＲＳＲＰ＝−５６ｄＢｍ）、ＣＲＩ−１４（ＲＳＲＰ＝−４８ｄＢｍ）およびＣＲＩ−１１（ＲＳＲＰ＝−５５ｄＢｍ）。
【００４２】
この解説例では、リソース対ごとに、そのリソース対の全てのリソースについて、リソースを識別するためのリソースインジケータ（例えばリソースインデックス）が与えられており、続く括弧内に、示されたリソースの測定されたＬ１−ＲＳＲＰ（以後、測定Ｌ１−ＲＳＲＰ）が示されている。例えば、ＳＳＢ−２０（ＲＳＲＰ＝−８０ｄＢｍ）は、リソースインデックス８０を有するＳＳＢリソースの測定Ｌ１−ＲＳＲＰが−８０ｄＢｍであることを指示している。同様に、ＣＲＩ−２（ＲＳＲＰ＝−７８ｄＢｍ）は、リソースインデックス２を有するＣＲＩリソースの測定Ｌ１−ＲＳＲＰが−７８ｄＢｍであることを指示している。リソースインデックスは、リソースの時間−周波数リソースを識別する。上述のとおり、それぞれのＳＳＢまたはＣＳＩ−ＲＳリソースには１つのビームが関連づけられている（例えば、それぞれのＳＳＢまたはＣＳＩ−ＲＳリソースの信号を送信するために１つのビームが使用される）。
【００４３】
ＳＳＢ  ＲＳＲＰに基づいてリソース対を選択する第１の解説例では、ＵＥが、リソース対のＳＳＢリソースの最も強いＲＳＲＰに基づいて、複数のリソース対の中からリソース対を選択することができる。したがって、リソース対のＳＳＢのＲＳＲＰに基づいてリソース対を選択することができる。上記の例では、リソース対２のＳＳＢ−１６が、リソース対１のＳＳＢ−２０（−８０ｄＢｍ）よりも強いＲＳＲＰ（−６０ｄＢｍ）を有する。したがって、この例において、ＵＥは、結合準コロケーション多数リソースビーム報告を介して報告するリソース対として、リソース対２を選択することができる。
【００４４】
一組のＣＳＩ−ＲＳリソースの集約（例えば平均）ＲＳＲＰに基づいてリソース対を選択する第２の解説例では、ＵＥが、対ごとに、それぞれの一組のＣＳＩ−ＲＳリソースにわたって計算または算定された集約ＲＳＲＰを決定し、次いで、一組のＣＳＩ−ＲＳリソースについて最も強い集約（例えば最も強い／最も高い平均）ＲＳＲＰを有するリソース対を選択することができる。この例では、リソース対１のＣＳＩ−ＲＳ  ＲＳＲＰ値（−７８ｄＢｍ、−７０ｄＢｍ、−５４ｄＢｍ、−５８ｄＢｍ）の集約値（例えば平均値）が、ＵＥによって−６５ｄＢｍと決定される。同様に、リソース対２のＣＳＩ−ＲＳ  ＲＳＲＰ値（−５９ｄＢｍ、−５６ｄＢｍ、−４８ｄＢｍ、−５５ｄＢｍ）の集約値（例えば平均値）が、ＵＥによって、−５４．５ｄＢｍと決定され、この値は、リソース対１の測定された集約ＣＳＩ−ＲＳ電力（−６５ｄＢｍ）よりも強い。したがって、この解説例において、ＵＥは、結合準コロケーション多数リソースビーム報告を介して報告するリソース対として、リソース対２を選択することができる。
【００４５】
リソース対のＳＳＢリソースおよび一組のＣＳＩ−ＲＳリソースにわたって計算した集約（例えば平均）ＲＳＲＰに基づいてリソース対を選択する第３の解説例では、ＵＥが、対ごとに、ＳＳＢリソースとそれぞれの一組のＣＳＩ−ＲＳリソースの両方にわたって計算または算定された集約ＲＳＲＰを決定し、次いで、最も強い集約（例えば平均）ＲＳＲＰを有するリソース対を選択することができる。この例では、リソース対１のＳＳＢおよびＣＳＩ−ＲＳ  ＲＳＲＰ電力／ＲＳＲＰ値（−８０ｄＢｍ、−７８ｄＢｍ、−７０ｄＢｍ、−５４ｄＢｍ、−５８ｄＢｍ）の集約（例えば平均）が、ＵＥによって−６８ｄＢｍと決定される。同様に、リソース対２のＳＳＢおよびＣＳＩ−ＲＳ  ＲＳＲＰ／電力値（−６０ｄＢｍ、−５９ｄＢｍ、−５６ｄＢｍ、−４８ｄＢｍ、−５５ｄＢｍ）の集合（例えば平均）が、ＵＥによって−５５．４ｄＢｍと決定され、この値は、リソース対１の測定された集約ＣＳＩ−ＲＳ電力（−６８ｄＢｍ）よりも強い。したがって、この解説例において、ＵＥは、結合準コロケーション多数リソースビーム報告を介して報告するリソース対として、リソース対２を選択することができる。リソース対の全てのリソースの相加平均算出（ｅｑｕａｌ  ａｖｅｒａｇｉｎｇ）（例えば５つの全てのリソースのＲＳＲＰの和を５で割って平均を得る）、または一組のＣＳＩ−ＲＳ  ＲＳＲＰ値と同じ重みを対のＳＳＢ  ＲＳＲＰにつける加重平均など、異なるタイプの平均算出を実行することができる。
【００４６】
解説例と同じ選択基準および過程を使用して、複数のリソース対を、ＵＥが結合して報告するリソース対として選択することもできる。これらの解説例では、３つの異なる全ての選択基準についてリソース対２が選択されたが、少なくともいくつかの事例では、異なる選択基準に基づいて異なるリソース対が選択されてもよい。
【００４７】
例示的な一実施態様では、この方法がさらに、１つまたは複数のリソース対について、リソース対の第１のリソース型のリソースがリソース対の第２のリソース型の一組のリソースと空間的に準コロケーション関係にあることを指示する準コロケーション情報を、ユーザデバイスによって受信することを制御することを含む。
【００４８】
さらに、選択基準をＢＳがＵＥに通知または伝達することができる。例えば、この方法はさらに、ユーザデバイスによって、選択することの際に使用する選択基準の指示を、以下の選択基準、すなわち、リソース対の第１のリソース型のリソースの最も強い受信電力、リソース対の第２のリソース型の一組のリソースにわたって計算した最も強い集約受信電力、およびリソース対の第１のリソース型のリソースとリソース対の第２のリソース型の一組のリソースの両方にわたって計算した最も強い集約受信電力のうちの１つとして受信することを含む。
【００４９】
例示的な一実施態様によれば、第１のリソース型は同期信号ブロックリソースを含むことがあり、第２のリソース型はチャネル状態情報−基準信号リソースを含むことがある。
【００５０】
方法はさらに、１つまたは複数のリソース対について、リソース対の同期信号ブロックリソースがリソース対の一組のチャネル状態情報−基準信号リソースと空間的に準コロケーション関係にあることを指示する準コロケーション情報を、ユーザデバイスによって受信することを制御することを含むことができ、準コロケーション情報は、リソース対の同期信号ブロックリソースのリソース指示と、リソース対の一組のチャネル状態情報−基準信号リソースのリソース指示とを含む。
【００５１】
例示的な一実施態様によれば、作成することは、選択されたリソース対について、リソース対の同期信号ブロックのリソース指示と、リソース対の同期信号ブロックリソースの測定された受信電力を指示する情報と、リソース対の一組のチャネル状態情報−基準信号リソースのリソース指示と、リソース対の一組のチャネル状態情報−基準信号リソースのそれぞれのリソースの測定された受信電力を指示する情報とを含む結合準コロケーション多数リソースビーム報告を、ユーザデバイスによって作成することを含む。
【００５２】
さまざまな例示的な実施態様によれば、報告されたリソースの測定された受信電力（例えばＲＳＲＰ）値を伝達するために、例示的な異なるフォーマットが使用されてもよい。例示的な一実施態様では、報告の中に、リソース対のＳＳＢリソースおよびそれぞれのＣＳＩ−ＲＳリソースの量子化された電力値（例えば量子化されたＲＳＲＰ）値が提供されることがある。例示的な別の実施態様では、基準電力値（例えばその対のリソースの測定された最大受信電力）とこの基準電力値に対するそれぞれのリソースの電力オフセットとを含むことができる、差分（ｄｉｆｆｅｒｅｎｔｉａｌ）結合準コロケーション多数リソースビーム報告が提供されることがある。
【００５３】
一解説例では、結合準コロケーション多数リソースビーム報告を介してリソース対１が報告されてもよく、結合準コロケーション多数リソースビーム報告が、ＳＳＢリソースの指示およびＳＳＢリソースとＱＣＬ関係にあるＣＳＩ−ＲＳリソースの指示、ならびに報告するそれぞれのＳＳＢおよびＣＳＩ−ＲＳリソースの電力情報を含むことがある。上述の例では、リソース対１が、（一例として）以下のリソースおよび測定された受信電力値を含む：リソース対１：ＳＳＢ−２０（ＲＳＲＰ＝−８０ｄＢｍ）、ＣＲＩ−２（ＲＳＲＰ＝−７８ｄＢｍ）、ＣＲＩ−５（ＲＳＲＰ＝−７８ｄＢｍ）、ＣＲＩ−７（ＲＳＲＰ＝−５４ｄＢｍ）、ＣＲＩ−９（ＲＳＲＰ＝−５８ｄＢｍ）。
【００５４】
例えば、リソース対１の報告されたリソースの基準（例えば最大）ＲＳＲＰ値を決定し、次いで、その基準電力／ＲＳＲＰ値に対するそれぞれのＲＳＲＰ値の量子化された電力オフセットを決定することによって、結合準コロケーション多数リソースビーム報告を作成することができる。例えば、２ビットを使用して、基準電力／ＲＳＲＰ値に対する４つの可能な電力オフセット（０、１、２および３）のうちの１つの電力オフセットを指示することができる。例えば、（電力オフセット値の粒度をより細かくし、量子化誤差をより小さくするために、）シグナリング／報告オーバヘッドがより高くなることと引き換えに、電力オフセット値に対してより多くのビットを使用することもできる。このように、０、１、２および３の電力オフセット値を使用して、基準ＲＳＲＰ／電力値に対するリソースのさまざまな電力オフセットを指示することができる。リソースのＲＳＲＰを、示された基準電力／ＲＳＲＰ値に対して示す効率的な手法として、リソース対のそれぞれのＲＳＲＰ値を、量子化された電力オフセットにマップする（例えば０、１、２または３にマップする）ことができる。電力オフセット０は、リソースの電力が基準値と同じであることを指示するものとすることができる。また、より大きな数値（例えば３）の電力オフセット値は、基準ＲＳＲＰ／電力値に対する、指示されたリソースのより大きな（または最大範囲の）低下電力段（ｄｅｃｒｅａｓｅｄ  ｐｏｗｅｒ  ｓｔｅｐ）（またはＲＳＲＰの低下）を指示するものとすることができる。例えば、リソース対１については、最も強いＲＳＲＰが−５４ｄＢｍ（ＣＲＩ−７）である。したがって、リソース対１のそれぞれのリソースの差分ＲＳＲＰ／電力値は、以下のように決定することができる：
電力オフセット＝３（ＳＳＢの電力オフセット）、
電力オフセット＝０（ＣＲＩ−７のオフセットは０。これはＣＲＩ−７が基準電力を有することを意味する）、
電力オフセット＝１（ＣＲＩ−９）、
電力オフセット＝２（ＣＲＩ−５）、および
電力オフセット＝３（ＣＲＩ−２）。したがって、これらの５つの電力オフセット値は、基準電力／ＲＳＲＰ値に対する、指示されたリソースの（量子化された）測定電力またはＲＳＲＰを指示する。
【００５５】
結合準コロケーション多数リソースビーム報告を作成（または生成）することは、結合準コロケーション多数リソースビーム報告を介してまたは結合準コロケーション多数リソースビーム報告に含めて送信するまたは送るために、リソース指示および電力値（例えば電力オフセット値）を１つのフォーマットとして提供することを含むことができる。例えば、これは、以下のような、報告用の２つの要素を生成することを含むことができる。
要素１：−５４ｄＢｍ、３、０、１、２、３。
要素２：２：２０、７、９、５、２。
【００５６】
結合準コロケーション多数リソースビーム報告のこの解説例では、要素１が電力値を指示し、要素２が、対応するリソースインジケータに（例えば、要素１の対応するリソースの電力値である要素２に指示された電力値を）提供する。この例では、要素１が、−５４ｄＢｍの基準（例えば最大）ＲＳＲＰ、次いで３、０、１、２、３の電力オフセット値を含み、これらの電力オフセット値は、（要素２に基づいて）ＳＳＢ−２０、ＣＲＩ−７、ＣＲＩ−９、ＣＲＩ−５、ＣＲＩ−２に対応する。したがって、この例では、２つの要素（要素１、要素２）が、要素１（基準電力、ＳＳＢ電力オフセット、ＣＲＩ電力オフセット、ＣＲＩ電力オフセット、ＣＲＩ電力オフセット、ＣＲＩ電力オフセット）および要素２（ＳＳＢＲＩ、ＣＲＩ、ＣＲＩ、ＣＲＩ、ＣＲＩ）のフォーマットを含むことがあり、ここで、ＳＳＢＲＩはＳＳＢリソース指示、ＣＲＩはＣＳＩ−ＲＳリソース指示である。したがって、この例では、要素１内のリソースの電力値の順序が、要素２内のそれらのリソースのリソース指示の順序と同じである。例示的な一実施態様によれば、結合準コロケーション多数リソースビーム報告を作成することが、（それぞれのリソースの測定ＲＳＲＰ値および決定またはマップされた電力オフセットに基づいて）要素１および要素２を生成または作成することを含み、要素１および要素２は次いで、結合準コロケーション多数リソースビーム報告としてＢＳに送信される。さらなる例示的な詳細については図２を参照されたい。
【００５７】
結合準コロケーション多数リソースビーム報告が、多数の（または複数の）それぞれのリソース対のリソース（例えばリソース対のＳＳＢリソースおよび一組のＣＳＩ−ＲＳリソース）の測定された受信電力値を提供する場合、報告は、１）報告の中に指示された、全ての報告されたリソース対に対して１つの（または単一のもしくは共通の）基準電力値（例えば最大電力）を含むことができ、全ての報告されたリソース対のリソースの電力オフセットは、その１つの（または共通の）基準電力値に対して指示され、または２）報告されるリソース対ごとに１つの基準電力値（例えば報告の中に含まれた、それぞれのリソース対の最大電力値）のいずれかを含むことができ、リソース対のリソースの電力オフセットは、そのリソース対のもしくはそのリソース対に対応する基準電力値に対して指示される）。オプション１）（全ての報告されたリソース対に共通の基準電力値）は、オプション２）に比べてより効率的なシグナリング／報告技法を提供する可能性があるが、それと引き換えに、（報告されるリソース対ごとに１つの基準電力を使用する）オプション２）に比べて量子化誤差が増大する（またはより大きくなる）。
【００５８】
したがって、例示的な一実施態様によれば、作成することは、選択されたリソース対について、基準電力と、選択されたリソース対のそれぞれのリソースの基準電力に対する電力オフセットとを指示する、（例えば報告する対のそれぞれのリソースまたは１つもしくは複数のリソースの電力オフセットを提供することに基づく）差分結合準コロケーション多数リソースビーム報告を、ユーザデバイスによって作成することを含むことができ、この電力オフセットは、選択されたリソース対の第１のリソース型のリソースの電力オフセットおよび第２のリソース型の一組のリソースのそれぞれのリソースの電力オフセットを含む。
【００５９】
上述のとおり、１つの報告の中に多数のリソース対が報告される場合には、全ての報告されたリソース対に対する共通の基準電力として１つの基準電力を指示することができ、または報告されたリソース対ごとに１つの基準電力を報告の中に提供もしくは指示することができる。したがって、例示的な一実施態様によれば、作成することは、複数の選択されたリソース対の結合準コロケーション多数リソースビーム報告であり、１つの（例えば共通の）基準電力と、複数のリソース対のそれぞれのリソースの基準電力に対する電力オフセットとを指示する情報を含む結合準コロケーション多数リソースビーム報告を、ユーザデバイスによって作成することを含む（例えば、この場合、全ての報告されたリソース対の全てのリソースの、この１つのまたは共通の基準（例えば最大）電力に対する電力オフセットが報告の中に提供される。あるいは、前記作成することは、複数の選択されたリソース対の結合準コロケーション多数リソースビーム報告であり、複数の選択されたリソース対のうちのそれぞれのリソース対の基準電力と、複数のリソース対のそれぞれのリソースの、対応するリソース対の基準電力に対する電力オフセットとを指示する情報を含む結合準コロケーション多数リソースビーム報告を、ユーザデバイスによって作成することを含むこともできる（例えば、第１のリソース対に対して第１の基準電力を提供し、第１のリソース対のそれぞれのリソースをこの第１の基準電力に対して指示し、同じ報告の中に報告される第２のリソース対に対して第２の基準電力を提供し、第２のリソース対のそれぞれのリソースをこの第２の基準電力に対して指示することができる）。
【００６０】
例示的な一実施態様によれば、作成することは、選択されたリソース対について、基準電力と、選択されたリソース対のそれぞれのリソースの基準電力に対する電力オフセットとを指示する第１の要素、および選択されたリソース対のリソースを識別する第２の要素であり、リソース対の同期信号ブロックリソースを識別する同期信号ブロックリソースインジケータと、選択されたリソース対の一組のチャネル状態情報−基準信号リソースを識別するリソースインジケータとを含む第２の要素を含む結合準コロケーション多数リソースビーム報告を、ユーザデバイスによって作成することを含む。
【００６１】
図２は、例示的な一実施態様に基づく、空間ビームドメイン内の空間ビームドメイン内における結合準コロケーション関係（ＱＣＬ）ＳＳＢ−ＣＳＩ−ＲＳビーム報告対の一例を示す図である。図２に示されたこの例では、ＳＳＢリソースが「幅の広い」ビーム２１２として示されており、ＣＳＩ−ＲＳリソースが「幅の狭い」ビームとして示されている。しかしながら、これは単に一例として示したものであり、ＳＳＢビームおよびＣＳＩ−ＲＳビームは任意のビーム幅とすることができるため、他のビーム幅が使用されてもよい。ネットワークは、ＣＳＩ−ＲＳリソース２、５、７および９を、ＳＳＢリソース２０と空間的にＱＣＬ関係にあるとハイヤレイヤ設定された（ｈｉｇｈｅｒ  ｌａｙｅｒ  ｃｏｎｆｉｇｕｒｅ）。ネットワークはさらに、ＣＳＩ−ＲＳとＳＳＢを結合して報告すると設定し、リソース対の一部として、ＳＳＢリソースの数（１）およびＣＳＩ−ＲＳリソースの数（４）を報告すると設定した。例えば、リソース対１：ＳＳＢ−２０（−８０ｄＢｍ）、ＣＲＩ−２（−７８ｄＢｍ）、ＣＲＩ−５（−７０ｄＢｍ）、ＣＲＩ−７（−５４ｄＢｍ）、ＣＲＩ−９（−５８ｄＢｍ）について、リソースおよびＲＳＲＰ値を、（例えば基準ＲＳＲＰに対する差分電力オフセットを使用して）結合準コロケーション関係（ＱＣＬ）ＳＳＢ−ＣＳＩ−ＲＳ報告対（または結合準コロケーション関係（ＱＣＬ）ＳＳＢ−ＣＳＩ−ＲＳビーム報告）を介して伝達することができる。
【００６２】
この例では、ネットワークが、最も強いＬ個のＱＣＬ−ＳＳＢ−ＣＳＩ−ＲＳ対を、（最も強いＳＳＢ  ＲＳＲＰに基づいてリソース対を選択する）「ＳＳＢのみ（ＳＳＢ−ｏｎｌｙ）」として選択するように、ＵＥに対するハイヤレイヤパラメータを設定した。ＵＥは、設定されたＳＳＢおよびＣＳＩ−ＲＳリソースにわたってＬ１−ＲＳＲＰ測定を実行した。次いで、ＳＳＢおよびＣＳＩ−ＲＳリソースまたはリソースセットを含む結合ＱＣＬ  ＳＳＢ−ＣＳＩ−ＲＳ報告対のために、報告されたＳＳＢの設定数、すなわちＬ＝１および報告するＣＳＩ−ＲＳリソースの設定数Ｎ＝４が選択された。ＣＳＩ−ＲＳリソースインデックス２、５、７、９およびＳＳＢリソースインジケータ２０、ならびにそれらのＬ１−ＲＳＲＰ値が、結合ビーム報告ＱＣＬ対を形成する。図２に示されているとおり、結合準コロケーション関係（ＱＣＬ）ＳＳＢ−ＣＳＩ−ＲＳ報告対（またはビーム報告）の作成または生成は例えば、２２０において、ＵＥが、結合準コロケーション関係（ＱＣＬ）ＳＳＢ−ＣＳＩ−ＲＳ報告対（またはビーム報告）のために、（それぞれのリソースの測定されたＲＳＲＰ値に基づいて）差分ＲＳＲＰ計算を実行することを含む。例えばこの計算では、それぞれのリソースの測定された電力／ＲＳＲＰを、例えば基準ＲＳＲＰに対して指示するために、リソース対１のＳＳＢおよびＣＳＩ−ＲＳリソースのそれぞれのＲＳＲＰ値に、２ビットの電力オフセット値（例えば０、１、２、３）が割り当てられる。結合ビーム報告のため、この例では、ネットワークが量子化ビット数ｎ＝２を設定した。その結果として、以下の量子化ＲＳＲＰレベル（ｑｕａｎｔｉｚａｔｉｏｎ  ＲＳＲＰ  ｌｅｖｅｌ）が得られる：−５４、−６２．６６、−７１．３３および−８０ｄＢｍ。この例では、Ｑ＝２n＝４個（ｎ＝２）の量子化レベルが存在するため、４つの量子化値が存在する。量子化レベルは、＝（ａｂｓ（ｍａｘ＿ＲＳＲＰ）−ａｂｓ（ｍｉｎ＿ＲＳＲＰ））／（Ｑ−１）によって得られ、次いでこれらの値を−５４、−６２．６６、−７１．３３および−８０と計算することができる（例えば、これらは例えばそれぞれ０、１、２および３の電力オフセットに対応する）。これらの値に基づいて、２２２で、２つの要素、すなわち要素１（ＲＳＲＰ値）：−５４ｄＢｍ（基準電力値／最大電力値）、３、０、１、２、３（２ビット電力オフセットを使用したＳＳＢリソースおよび４つのＣＳＩ−ＲＳリソースの電力オフセット）、ならびに要素２（リソースインジケータ）：２０（ＳＳＢＲＩ）、７、９、５、２（４つのＣＲＩのリソースインジケータ）を有する差分結合ＳＳＢ−ＣＳＩ−ＲＳパートビーム報告を作成または計算することができる。
【００６３】
図３は、例示的な一実施態様に基づく、空間ビームドメイン内における多数のリソース対にわたる結合準コロケーション関係（ＱＣＬ）ＳＳＢ−ＣＳＩ−ＲＳビーム報告対の一例を示す図である。図３は、多数のＱＣＬ−ＳＳＢ−ＣＳＩ−ＲＳ対にわたる結合ＳＳＢおよびＣＳＩ−ＲＳリソースビーム報告の一例を示す。ネットワークは、最も強い２つ、すなわちＬ＝２個のＱＣＬ−ＳＳＢ−ＣＳＩ−ＲＳリソース対を、ＳＳＢ＋ＣＳＩ−ＲＳオプション（例えば、ＳＳＢリソースおよび一組のＣＳＩ−ＲＳリソースにわたって計算した最も強い集約（例えば平均）ＲＳＲＰに基づいて２つのリソース対を選択することができる選択）に従って選択するように、ＵＥを設定した。したがって、例えば、それぞれのリソースのＲＳＲＰ値を測定した後、ＵＥは、それぞれのリソース対のＳＳＢリソースおよびＱＣＬ関係にある一組のＣＳＩ−ＲＳリソースにわたって集約（例えば平均）ＲＳＲＰを決定（例えば計算）し、次いで、最も高い／最も強い集約ＲＳＲＰを有する２つのリソース対を選択することができる。この選択の結果が図に示されており、例えば図には、選択された２つのリソース対、すなわちリソース対１およびリソース対２が示されている。ネットワークは、結合ビーム報告中のＱＣＬ−ＳＳＢ−ＣＳＩ−ＲＳ対の数を２に設定した。すなわちＷ＝２である。この報告設定に基づいて、結合ＱＣＬ−ＳＳＢ−ＣＳＩ−ＲＳ対１および結合ＱＣＬ−ＳＳＢ−ＣＳＩ−ＲＳ対２にわたって、ビーム報告が結合して計算される。
【００６４】
図に示された、ＣＳＩ−ＲＳおよびＳＳＢリソースに関連づけられた測定Ｌ１−ＲＳＲＰ値に基づいて、２つの要素、すなわち１）要素１（ＲＳＲＰ値）：［−５４，［３  １］，［０，１，１，１，１，１，２，３］］および２）要素２（リソースインジケータ）：［［［２０，１６］，［１４，１１，２１，７，９，３１，５，２］］を有する差分結合ＳＳＢ−ＣＳＩ−ＲＳビーム報告を計算することができる。要素１で、−５４ｄＢｍは、２つのリソース対の中での基準または最大ＲＳＲＰであり、要素２の順序またはリソースインジケータに基づいて、［３，１］は、リソース対１のＳＳＢおよびリソース対２のＳＳＢの電力オフセットを識別し、要素１の［０，１，１，１，１，１，２，３］は、要素２によって指示されたＣＳＩ−ＲＳリソース（ＣＲＩ）の電力オフセットを（要素２によって指示された順序と同じ順序で）識別する。
【００６５】
したがって、図３に示された例では、多数のリソース対に対する１つの基準（または最大）電力／ＲＳＲＰ値が存在し、次いで、（ビーム報告中の全てのリソース対に対して）この１つの（または共通の）基準電力に対する電力オフセットが提供される。このようにすると、ＵＥは、例えばそれぞれの実際のＲＳＲＰ値を報告するよりも効率的であることがある差分フォーマットを使用して、多数の（または複数の）リソース対のＳＳＢリソースおよび一組のＣＳＩ−ＲＳリソースの測定された電力／ＲＳＲＰ値を結合して報告することができる。
【００６６】
別の例示的な実施態様では、多数のリソース対に対するビーム報告が、報告されるそれぞれのリソース対の基準（例えば最大）電力／ＲＳＲＰ値を含むことがあり、リソース対のそれぞれのリソース（ＳＳＢおよび一組のＣＳＩ−ＲＳリソース）の、その対応する基準電力に対する電力オフセットが報告の中に指示される。
【００６７】
さまざまな例示的な実施態様は、以下のうちの１つまたは複数の利点などの、いくつかの技術的利点を含むことがある：
空間的にＱＣＬ関係にある２つのタイプのリソースの電力／ＲＳＲＰ値の結合報告を可能にすること、
空間的にＱＣＬ関係にある（ＳＳＢリソースおよび一組のＣＳＩ−ＲＳリソースを含む）一対のリソースの電力／ＲＳＲＰ値の結合報告を可能にすること、
個々のＣＳＩ−ＲＳリソースベースの報告を実行する必要なしに、ＳＳＢリソースと空間的にＱＣＬ関係にあるＣＳＩ−ＲＳリソースのＬ１−ＲＳＲＰ値を得ることを可能にすること。その結果として、個々のＣＳＩ−ＲＳリソースベースの報告に比べて低減されたビーム報告オーバヘッドが得られる。
【００６８】
結合ＳＳＢおよびＣＳＩ−ＲＳリソースベースのビーム報告に基づいて、ネットワークは、ＣＳＩ−ＲＳベースの「サブレベル（ｓｕｂ−ｌｅｖｅｌ）」ビーム、およびそれらのビームの、「アンカー（ａｎｃｈｏｒ）／ワイド（ｗｉｄｅ）／ファット（ｆａｔ）」ＳＳＢリソースベースのＴＸビームに対する相対的なＲＳＲＰ差を、低減されたビーム報告オーバヘッドで識別することができる。
【００６９】
次に、追加の例示的な実施態様を簡潔に説明する。
【００７０】
例示的な実施態様Ｅ１：報告するリソース対を選択する目的に使用することができる技法、および報告する差分値（例えば差分電力オフセット）を決定するための技法に関する。一実施態様では、互いに空間的にＱＣＬ関係にあるそれぞれのＳＳＢおよびＣＳＩ−ＲＳリソース／リソースセットについて、結合ＳＳＢおよびＣＳＩ−ＲＳリソースベースの差分Ｌ１−ＲＳＲＰ計算法が、以下のように提供される。ネットワークが、ハイヤレイヤパラメータによって、ＵＥが使用する方法を、最も強いＬ個（Ｌ≦Ｋ）のＱＣＬ−ＳＳＢ−ＣＳＩ−ＲＳ対を選択するように設定する。ここでは、ネットワークによって異なるＫ個のＳＳＢリソースが設定されている。最も強いＬ個のリソースをＵＥが選択するためのハイヤレイヤ設定されたパラメータは、Ｌ個の対の中から最も強いリソース対を選択する以下のオプションを有する。報告する最も優れた／最も強いリソース対を選択する以下のような多数の（例えば３つの）方式が存在しうる。１）ＳＳＢのみ：ＵＥが、測定されたＳＳＢ  Ｌ１−ＲＳＲＰ値およびそれらの対応するリソースインジケータ／インデックスに関して、最も強いＬ個（Ｌ≦Ｋ）のリソース対を選択する。２）ＳＳＢ＋ＣＳＩ−ＲＳ：選択が、空間的にＱＣＬ関係にあるＳＳＢおよびＣＳＩ−ＲＳリソースにわたって計算された最も強いＬ個の集約ＲＳＲＰ値に対応するように、ＵＥが、最も強いＬ個（Ｌ≦Ｋ）のリソース対を選択する。例えば、ｌ番目の集約ＲＳＲＰ値は、ｌ番目のＳＳＢリソースと空間的にＱＣＬ関係にあるＣＳＩ−ＲＳリソースの測定されたＲＳＲＰ値の１次平均（ｌｉｎｅａｒ  ａｖｅｒａｇｅ）として計算される。したがって、例えば、この方式は、ＳＳＢリソースおよび４つのＱＣＬ関係にあるＣＲＩにわたって平均ＲＳＲＰを計算し、強い方／高い方からＬ個のリソース対を選択することを含んでもよい。３）ＣＳＩ−ＲＳのみ：選択が、ｌ番目のＳＳＢリソースと空間的にＱＣＬ関係にあるＣＳＩ−ＲＳリソースにわたって計算された最も強いＬ個の集約ＲＳＲＰ値に対応するような態様で、ＵＥが、最も強いＬ個（Ｌ≦Ｋ）のリソース対を選択する。したがって、この例では、リソース対の一組のＣＳＩ−ＲＳリソースにわたって計算された集約（例えば平均）ＲＳＲＰに基づいて、および最も強いＬ個のリソース対を（例えばそれぞれの対のＣＳＩ−ＲＳリソースにわたって計算された集約ＲＳＲＰに基づいて）選択することによって、報告するリソース対を選択することができる。Ｋは、設定されたリソース（ＱＣＬ−ＳＳＢ−ＣＳＩ−ＲＳリソース対）の総数である。Ｋ個のうちのＬ個のリソース対を、ビーム報告の中で報告する必要がある。ＵＥには、ＲＲＣ（ｒａｄｉｏ  ｒｅｓｏｕｒｃｅ  ｃｏｎｔｒｏｌ（無線リソース制御））メッセージを介して、どのリソースがＱＣＬ関係にあるのかを知らせることができる（ハイヤレイヤ設定）。Ｋは、設定されたＳＳＢリソースの総数に対応し、その中からＬ個のＱＣＬ−ＳＳＢ−ＣＳＩ−ＲＳが選択される。
【００７１】
ＵＥにおいて、（ＱＣＬ関係にある）Ｌ個の異なるリソース対が規定される。それぞれのリソース対は、リソース対のＳＳＢリソースに関連づけられたＲＳＲＰ値およびリソースインジケータ、ならびにＣＳＩ−ＲＳリソースのセットに関連づけられたＮ個の異なるＲＳＲＰ値およびリソースインデックス／セットインデックスを含む。ネットワークは、結合ＳＳＢ−ＣＳＩ−ＲＳビーム報告の中で報告されたＣＳＩ−ＲＳリソースの数Ｎを設定する。
【００７２】
それぞれのリソース対の差分ＲＳＲＰ（例えば電力オフセット）値の計算は、解説例として、ＵＥによって以下のように計算される。量子化レベルの量はＱ＝２nと規定され、ｎは、量子化レベルに対するビット数であり、量子化レベルの量は、Ｑ−１個の異なる電力段（ｐｏｗｅｒ  ｓｔｅｐ）につながる。ネットワークは、量子化ビット数を、全ての結合ビーム報告ＱＣＬ対に対してまたは特に１つの報告ＱＣＬ対に対して共通の数に設定することができる（電力オフセットに対する量子化ビットは、全てのリソース対に対して、またはそれぞれのビーム報告ごとに、そのビーム報告の中で報告する１つまたは複数のリソース対に対して規定することができる）。ｌ番目の結合ＱＣＬ−ＳＳＢ−ＣＳＩ−ＲＳ対の固定された電力段は、Δl＝（ａｂｓ（ｍａｘ（｛ＲＳＲＰｖｅｃl｝））−ａｂｓ（ｍｉｎ（｛ＲＳＲＰｖｅｃl｝）））／（Ｑ−１））として計算されうる。上式で、ｌ＝１．．．Ｌであり、ＲＳＲＰｖｅｃは、ＳＳＢリソースのＬ１−ＲＳＲＰ値、およびＱＣＬ関係にあるＳＳＢリソースであるＣＳＩ−ＲＳリソースのＮ個のＬ１−ＲＳＲＰ値を含み、ｍａｘ｛｝およびｍｉｎ｛｝演算子は、対応するベクトルの中から最大値および最小値を選択する。演算子ａｂｓ｛｝は、その引数の絶対値を与える。量子化ＲＳＲＰレベルをΛl,k＝ｍａｘ（｛ＲＳＲＰｖｅｃl｝）＋Δlｑとして計算することにより、それぞれのＲＳＲＰ値を、最も近い量子化レベルに丸めることができる。上式で、添字ｑ＝０．．．，Ｑ−１は相対的電力段である。
【００７３】
例示的な実施態様Ｅ２：リソース（ＱＣＬ−ＳＳＢ−ＣＳＩ−ＲＳリソース対）のＲＳＲＰ／電力値、例えば要素１および要素２を含むＲＳＲＰ／電力値を報告する技法に関する。この例では、リソース対の選択することおよび差分電力オフセットの決定することを、上述の実施態様Ｅ１で説明したとおりに実行することができる。ｌ＝１．．．，Ｌであるｌ番目の結合ＳＳＢ−ＣＳＩ−ＲＳビーム報告は、Ｌ１−ＲＳＲＰ値（またはそれぞれのリソースの電力オフセット）およびリソースインジケータを、以下の２つの要素｛要素１、要素２｝の一部として含むことができる。要素１（報告されたＬ１−ＲＳＲＰ値）：［ｍａｘ＿Ｌ１−ＲＳＲＰ＿ｌ，ＳＳＢ＿ｐｏｗ＿ｓｔｅｐ＿ｌ，［ＣＳＩ−ＲＳ＿ｐｏｗ＿ｓｔｅｐ＿ｌ−１，．．，ＣＳＩ−ＲＳ＿ｐｏｗ＿ｓｔｅｐ＿ｌ−Ｎ］］。ここで、ｍａｘ＿Ｌ１−ＲＳＲＰ＿ｌは、ＲＳＲＰｖｅｃｌの最大Ｌ１−ＲＳＲＰ値を規定し、ＳＳＢ＿ｐｏｗ＿ｓｔｅｐ＿ｌは、Ｌからの、ＳＳＢリソースに基づくＬ１−ＲＳＲＰのｌ番目の相対的電力段値を規定する。パラメータＣＳＩ−ＲＳ＿ｐｏｗ＿ｓｔｅｐ＿ｌ−１は、Ｎからの、ＣＳＩ−ＲＳリソースに基づくＬ１−ＲＳＲＰのｌ番目の相対的電力段値を規定する。パラメータＣＳＩ−ＲＳ＿ｐｏｗ＿ｓｔｅｐ＿ｌ−Ｎは、Ｎからの、ＣＳＩ−ＲＳリソースに基づくＬ１−ＲＳＲＰのｌ番目の相対的電力段値を規定する。注記：ＳＳＢ＿ｐｏｗ＿ｓｔｅｐ＿ｌフィールドの相対的電力オフセットが０である場合、それは最大値、すなわちｍａｘ＿Ｌ１＿ＲＳＲＰ＿ｌフィールドを規定する。相対的ｐｏｗ＿ｓｔｅｐ＿ｌオフセット＝０が、ＳＳＢリソースの中にある（またはＳＳＢリソースに対してである）場合、ＳＳＢリソース電力／ＲＳＲＰは、最大電力値（もしくは基準電力値）を規定する（または最大電力値（もしくは基準電力値）である）。そうでなければ、ＣＳＩ−ＲＳリソースが最大値を規定する（例えば１つのＣＳＩ−ＲＳリソースの電力が最大電力値または基準電力値である）。
【００７４】
要素２（報告されたリソースインジケータ）：［ＳＳＢ＿ｒｅｓｏｕｒｃｅ＿ｉｎｄｉｃａｔｏｒ＿ｌ，［ＣＲＩ＿ｌ−１，．．．ＣＲＩ＿ｌ−Ｎ］］。ここで、パラメータＳＳＢ＿ｒｅｓｏｕｒｃｅ＿ｉｎｄｉｃａｔｏｒ＿ｌは、局所または大域ＳＳＢリソースインジケータ／ＳＳＢインデックスのいずれかとすることができ、ＣＲＩ＿ｌ−１は、ｌ番目の局所または大域ＣＳＩ−ＲＳリソースインジケータであり、ＣＲＩ＿ｌ−１＿Ｎは、要素１の一部として提供されたＮ番目のＬ１−ＲＳＲＰ値に関連づけられたｌ番目の局所または大域ＣＳＩ−ＲＳリソースインジケータである。
【００７５】
例示的な実施態様Ｅ３。多数のリソース対に対する結合ＳＳＢ−ＣＳＩ−ＲＳビーム報告に関する。多数結合ＱＣＬ−ＳＳＢ−ＣＳＩ−ＲＳビーム報告は、Ｌ１−ＲＳＲＰ値およびリソースインジケータを、以下の２つの要素｛要素１、要素２｝の一部として含むことができる。要素１：［［ｍａｘ＿Ｌ１−ＲＳＲＰ＿１，ＳＳＢ＿ｐｏｗ＿ｓｔｅｐ＿１，［ＣＳＩ−ＲＳ＿ｐｏｗ＿ｓｔｅｐ＿１−１，．．，ＣＳＩ−ＲＳ＿ｐｏｗ＿ｓｔｅｐ＿１−Ｎ］］［ｍａｘ＿Ｌ１−ＲＳＲＰ＿１，ＳＳＢ＿ｐｏｗ＿ｓｔｅｐ＿１，．．．，［ＣＳＩ−ＲＳ＿ｐｏｗ＿ｓｔｅｐ＿１−１，．．，ＣＳＩ−ＲＳ＿ｐｏｗ＿ｓｔｅｐ＿１−Ｎ］］］。ここでｌ＝２．．．Ｌである。要素２：［［ＳＳＢ＿ｒｅｓｏｕｒｃｅ＿ｉｎｄｉｃａｔｏｒ＿ｌ，［ＣＲＩ＿ｌ−１，．．．ＣＲＩ＿ｌ−Ｎ］］，．．．，［ＳＳＢ＿ｒｅｓｏｕｒｃｅ＿ｉｎｄｉｃａｔｏｒ＿Ｌ，［ＣＲＩ＿１−１，．．．ＣＲＩ＿１−Ｎ］］］。
【００７６】
例示的な実施態様Ｅ４：ビーム報告が、それぞれの報告されたリソース対に対するリソース対ごとの基準（例えば最大）電力値を含む、多数のリソース対に対する結合ＳＳＢ−ＣＳＩ−ＲＳビーム報告に関する。この例では、結合ＳＳＢおよびＣＳＩ−ＲＳリソースベースの差分Ｌ１−ＲＳＲＰ計算法が、多数の（Ｗ個の）リソース対にわたって結合して規定される。結合ＳＳＢ−ＣＳＩ−ＲＳビーム報告は、多数の（Ｗ個の）リソース対に対する差分値を含む。パラメータＷは、Ｌ個の対のうちの、結合して報告されたリソース対の数を規定する。結合して報告されたＰ＝Ｌ／Ｗ個の異なる対が存在し、Ｗは、ネットワークによってハイヤレイヤ設定される。Ｐ個の異なる結合報告は、Ｌ個の対を、計算されたＬ１−ＲＳＲＰ測定基準に関して降順に編成することによって規定される。次いで、この降順を使用することにより、Ｗ個の連続事例を使用して、結合して報告されたｐ番目の対を規定する。ここでｐ＝１．．．Ｐである。ここで、Ｐ個の異なる報告が、互いに空間的にＱＣＬ関係にある必要はない。対のｐ番目のそれぞれのＱＣＬ−ＳＳＢ−ＣＳＩ−ＲＳセットの差分ＲＳＲＰの計算は、ＵＥにおいて次のように計算されうる。対のｐ番目の結合ＱＣＬ−ＳＳＢ−ＣＳＩ−ＲＳセットの固定された電力段は、Δp＝（ａｂｓ（ｍａｘ（｛ＲＳＲＰｖｅｃp｝））−ａｂｓ（ｍｉｎ（｛ＲＳＲＰｖｅｃp｝）））／（Ｑ−１））として計算することができる。上式で、ｐ＝１．．．Ｐであり、ＲＳＲＰｖｅｃpは、Ｐ個の異なるＳＳＢリソースのうち一組のＳＳＢリソースのＬ１−ＲＳＲＰ値およびＣＳＩ−ＲＳリソースのＰ×Ｎ個のＬ１−ＲＳＲＰ値を含み、ｍａｘ｛｝およびｍｉｎ｛｝演算子は、対応するベクトルの中から最大値および最小値を選択する。演算子ａｂｓ｛｝は、その引数の絶対値を与える。量子化ＲＳＲＰレベルをΛp,q＝ｍａｘ（｛ＲＳＲＰｖｅｃp｝）＋Δpｑとして計算することにより、それぞれのＲＳＲＰ値を、最も近い量子化レベルに丸めることができる。上式で、添字ｑ＝０．．．，Ｑ−１は相対的電力段である。Ｐ＝Ｌ／Ｗであり、ここで、Ｌは、潜在的なＳＳＢおよびＣＳＩ−ＲＳリソース対を規定し、Ｗは、結合して報告／計算されるリソース対の数を規定する。したがって、全てを合わせてＰ個の異なる報告が存在する。
【００７７】
例示的な実施態様Ｅ５：ビーム報告が、全ての報告されたリソース対に対する単一の（または共通の）基準（例えば最大）電力値を含む、多数のリソース対に対する結合ＳＳＢ−ＣＳＩ−ＲＳビーム報告に関する。この場合、１つの（共通）基準電力（例えば最大ＲＳＲＰ）だけを使用することによって、より低いシグナリングまたは報告オーバヘッドが達成され、ビーム報告は、多数の報告されたリソース対の全てのリソースの、この共通基準電力に対する電力オフセットを含むことができる。例えば、多数の、すなわちＷ個のＱＣＬ−ＳＳＢ−ＣＳＩ−ＲＳ対にわたる結合ＳＳＢおよびＣＳＩ−ＲＳリソースベースの差分Ｌ１−ＲＳＲＰビーム報告。報告は、ＱＣＬ−ＳＳＢ−ＣＳＩ−ＲＳ対ビーム報告の差分Ｌ１−ＲＳＲＰ結合セットを規定する。ｐ＝１．．．，ＰであるＱＣＬ−ＳＳＢ−ＣＳＩ−ＲＳ対ビーム報告のｐ番目の結合セットは、Ｌ１−ＲＳＲＰ値およびリソースインジケータを、以下の２つの要素｛要素１、要素２｝の一部として含む。要素１（報告されたＬ１−ＲＳＲＰ値）：［ｍａｘ＿Ｌ１−ＲＳＲＰ＿ｐ，［ＳＳＢ＿ｐｏｗ＿ｓｔｅｐ＿ｐ−１．．．ＳＳＢ＿ｐｏｗ＿ｓｔｅｐ＿ｐ−Ｗ］，［ＣＳＩ−ＲＳ＿ｐｏｗ＿ｓｔｅｐ＿ｐ−１，．．，ＣＳＩ−ＲＳ＿ｐｏｗ＿ｓｔｅｐ＿ｐ−ＷＮ］］。ここで、ｍａｘ＿Ｌ１＿ＲＳＲＰ＿ｐは、ＲＳＲＰｖｅｃpの最大Ｌ１−ＲＳＲＰ値を規定し、ＳＳＢ＿ｐｏｗ＿ｓｔｅｐ＿ｐ−Ｗは、結合して報告されたＷ番目のリソースに関連づけられたｐ番目の結合報告相対的電力段値を規定する。パラメータＣＳＩ−ＲＳ＿ｐｏｗ＿ｓｔｅｐ＿ｐ−１は、Ｗ個のリソースの中の最初のＣＳＩ−ＲＳリソースに基づくＬ１−ＲＳＲＰに関連づけられたｐ番目の結合報告相対的電力段値を規定する。パラメータＣＳＩ−ＲＳ＿ｐｏｗ＿ｓｔｅｐ＿ｐ−ＷＮは、結合して報告されたＷＮ番目のＣＳＩ−ＲＳリソースに基づくＬ１−ＲＳＲＰのｐ番目の結合報告相対的電力段を規定する。要素２（報告されたリソースインジケータ）：［［ＳＳＢ＿ｒｅｓｏｕｒｃｅ＿ｉｎｄｉｃａｔｏｒ＿ｐ−１，．．．，ＳＳＢ＿ｒｅｓｏｕｒｃｅ＿ｉｎｄｉｃａｔｏｒ＿ｐ−Ｗ］，［ＣＲＩ＿ｐ−１，．．．ＣＲＩ＿ｐ−ＷＮ］］。ここで、パラメータＳＳＢ＿ｒｅｓｏｕｒｃｅ＿ｉｎｄｉｃａｔｏｒ＿ｐは、局所または大域ＳＳＢリソースインジケータ／ＳＳＢインデックスのいずれかとすることができ、ＣＲＩ＿ｐ−１は、ｐ番目の局所または大域ＣＳＩ−ＲＳリソースインジケータであり、ＣＲＩ＿ｐ−１ＷＮは、要素２の一部として提供されたＷＮ番目のＬ１−ＲＳＲＰ値に関連づけられたｐ番目の局所または大域ＣＳＩ−ＲＳリソースインジケータである。
【００７８】
例１：図４は、例示的な一実施態様に基づくユーザデバイスの動作を示す流れ図である。動作４１０は、１つまたは複数のリソース対のそれぞれのリソースの受信電力を測定することを含み、この１つまたは複数のリソース対のうちのそれぞれのリソース対は、第１のリソース型のリソースと、第２のリソース型の一組のリソースとを含み、第１のリソース型のリソースは、第２のリソース型の一組のリソースと空間的に準コロケーション関係にある。動作４２０は、結合準コロケーション多数リソースビーム報告を提供するために、測定することによって得た最も強い受信電力または最も強い集約受信電力に基づいて、１つまたは複数のリソース対の中から１つのリソース対を選択することを含む。動作４３０は、結合準コロケーション多数リソースビーム報告をユーザデバイスによって作成することを含み、結合準コロケーション多数リソースビーム報告は、選択されたリソース対の第１のリソース型のリソースと第２のリソース型の一組のリソースのそれぞれのリソースとを含む、選択されたリソース対のそれぞれのリソースについて、リソースと、対応する測定された受信電力とを指示する。そして、動作４０は、結合準コロケーション多数リソースビーム報告をユーザデバイスによって送信することを制御することを含む。
【００７９】
例２：例１の例示的な一実施態様によれば、第１のリソース型は同期信号ブロックリソースを含み、第２のリソース型はチャネル状態情報−基準信号リソースを含む。
【００８０】
例３：例１または２の例示的な一実施態様によれば、１つまたは複数のリソース対について、リソース対の第１のリソース型のリソースがリソース対の第２のリソース型の一組のリソースと空間的に準コロケーション関係にあることを指示する準コロケーション情報を、ユーザデバイスによって受信することを制御することをさらに含む。
【００８１】
例４：例１〜３のいずれかの例示的な一実施態様によれば、１つまたは複数のリソース対について、リソース対の同期信号ブロックリソースがリソース対の一組のチャネル状態情報−基準信号リソースと空間的に準コロケーション関係にあることを指示する準コロケーション情報を、ユーザデバイスによって受信することを制御することをさらに含み、準コロケーション情報は、リソース対の同期信号ブロックリソースのリソース指示と、リソース対の一組のチャネル状態情報−基準信号リソースのリソース指示とを含む。
【００８２】
例５：例１〜４のうちのいずれかの例示的な一実施態様によれば、第１のリソース型は同期信号ブロックリソースを含み、第２のリソース型はチャネル状態情報−基準信号リソースを含み、作成することは、選択されたリソース対について、リソース対の同期信号ブロックのリソース指示と、リソース対の同期信号ブロックリソースの測定された受信電力を指示する情報と、リソース対の一組のチャネル状態情報−基準信号リソースのリソース指示と、リソース対の一組のチャネル状態情報−基準信号リソースのそれぞれのリソースの測定された受信電力を指示する情報とを含む結合準コロケーション多数リソースビーム報告を、ユーザデバイスによって作成することを含む。
【００８３】
例６：例１〜５のうちのいずれかの例示的な一実施態様によれば、選択することは、以下の、１つまたは複数のリソース対の中から、リソース対の第１のリソース型のリソースの最も強い受信電力を有する１つのリソース対を選択すること、１つまたは複数のリソース対の中から、リソース対の第２のリソース型の一組のリソースにわたって計算した最も強い集約受信電力を有する１つのリソース対を選択すること、および１つまたは複数のリソース対の中から、リソース対の第１のリソース型のリソースとリソース対の第２のリソース型の一組のリソースの両方にわたって計算した最も強い集約受信電力を有する１つのリソース対を選択することのうちの少なくとも１つを含む。
【００８４】
例７：例１〜６のうちのいずれかの例示的な一実施態様によれば、ユーザデバイスによって、選択することの際に使用する選択基準の指示を、以下の選択基準、すなわち、リソース対の第１のリソース型のリソースの最も強い受信電力、リソース対の第２のリソース型の一組のリソースにわたって計算した最も強い集約受信電力、およびリソース対の第１のリソース型のリソースとリソース対の第２のリソース型の一組のリソースの両方にわたって計算した最も強い集約受信電力のうちの１つとして受信することをさらに含む。
【００８５】
例８：例１〜７のうちのいずれかの例示的な一実施態様によれば、第１のリソース型は同期信号ブロックリソースを含み、第２のリソース型はチャネル状態情報−基準信号リソースを含み、選択することは、以下の、１つまたは複数のリソース対の中から、リソース対の同期信号ブロックリソースの最も強い受信電力を有する１つのリソース対を選択すること、１つまたは複数のリソース対の中から、リソース対の一組のチャネル状態情報−基準信号リソースの全てのリソースにわたって計算した最も強い集約受信電力を有する１つのリソース対を選択すること、および１つまたは複数のリソース対の中から、リソース対の同期信号ブロックリソースとリソース対の一組のチャネル状態情報−基準信号リソースの両方にわたって計算した最も強い集約受信電力を有する１つのリソース対を選択することのうちの少なくとも１つを含む。
【００８６】
例９  例１〜８のうちのいずれかの例示的な一実施態様によれば、作成することは、選択されたリソース対について、基準電力と、選択されたリソース対のそれぞれのリソースの基準電力に対する電力オフセットとを指示する結合準コロケーション多数リソースビーム報告を、ユーザデバイスによって作成することを含み、電力オフセットは、選択されたリソース対の第１のリソース型のリソースの電力オフセットおよび第２のリソース型の一組のリソースのそれぞれのリソースの電力オフセットを含む。
【００８７】
例１０：例１〜９のうちのいずれかの例示的な一実施態様によれば、基準電力は、リソース対のリソースの最大電力を含む。
【００８８】
例１１：例１〜１０のうちのいずれかの例示的な一実施態様によれば、第１のリソース型は同期信号ブロックリソースを含み、第２のリソース型はチャネル状態情報−基準信号リソースを含み、作成することは、選択されたリソース対について、基準電力と、選択されたリソース対のそれぞれのリソースの基準電力に対する電力オフセットとを指示する第１の要素、および選択されたリソース対のリソースを識別する第２の要素であり、そのリソース対の同期信号ブロックリソースを識別する同期信号ブロックリソースインジケータと、選択されたリソース対の一組のチャネル状態情報−基準信号リソースを識別するリソースインジケータとを含む第２の要素を含む結合準コロケーション多数リソースビーム報告を、ユーザデバイスによって作成することを含む。
【００８９】
例１２：例１〜１１のうちのいずれかの例示的な一実施態様によれば、選択することは、結合準コロケーション多数リソースビーム報告を提供するために、測定することに基づいて、１つまたは複数のリソース対の中から複数のリソース対を選択することを含み、作成することは、複数の選択されたリソース対の結合準コロケーション多数リソースビーム報告であり、１つの基準電力と、複数のリソース対のそれぞれのリソースの基準電力に対する電力オフセットとを指示する情報を含む結合準コロケーション多数リソースビーム報告を、ユーザデバイスによって作成することを含む。
【００９０】
例１３：例１〜１２のうちのいずれかの例の例示的な一実施態様によれば、前記選択することは、結合準コロケーション多数リソースビーム報告を提供するために、前記測定に基づいて、前記１つまたは複数のリソース対の中から複数のリソース対を選択することを含み、前記作成することは、複数の選択されたリソース対の結合準コロケーション多数リソースビーム報告であり、複数の選択されたリソース対のうちのそれぞれのリソース対の基準電力と、前記複数のリソース対のそれぞれのリソースの、対応するリソース対の基準電力に対する電力オフセットとを指示する情報を含む結合準コロケーション多数リソースビーム報告を、ユーザデバイスによって作成することを含む。
【００９１】
例１４：例１〜１３のうちのいずれかの例示的な一実施態様によれば、リソースはそれぞれ、ビームまたは空間ドメインフィルタに関連づけられている。
【００９２】
例１５：例１〜１４のいずれかに記載の方法を実行するための手段を備える装置。
【００９３】
例１６：少なくとも１つのプロセッサと、コンピュータ命令を含む少なくとも１つのメモリとを備える装置であって、コンピュータ命令が、この少なくとも１つのプロセッサによって実行されたときに、装置に、例１〜１４のいずれかに記載の方法を実行させる、装置。
【００９４】
例１７：コンピュータプログラム製品を含む装置であって、コンピュータプログラム製品が、非一時的コンピュータ可読記憶媒体（ｎｏｎ−ｔｒａｎｓｉｔｏｒｙ  ｃｏｍｐｕｔｅｒ−ｒｅａｄａｂｌｅ  ｓｔｏｒａｇｅ  ｍｅｄｉｕｍ）を含み、実行可能コードを記憶しており、実行可能コードが、少なくとも１つのデータ処理装置によって実行されたときに、少なくとも１つのデータ処理装置に、例１〜１４のいずれかに記載の方法を実行させるように構成されている、装置。
【００９５】
例１８：図５は、別の例示的な実施態様に基づくユーザデバイスの動作を示す流れ図である。動作５１０は、１つまたは複数のリソース対のそれぞれのリソースの受信電力を測定することを含み、１つまたは複数のリソース対のうちのそれぞれのリソース対は、同期信号ブロックリソースと、一組のチャネル状態情報−基準信号リソースとを含み、同期信号ブロックリソースは、一組のチャネル状態情報−基準信号リソースと空間的に準コロケーション関係にある。動作５２０は、結合準コロケーション多数リソースビーム報告を提供するために、前記測定による最も強い受信電力または最も強い集約受信電力に基づいて、前記１つまたは複数のリソース対の中から１つのリソース対を選択することを含む。動作５３０は、結合準コロケーション多数リソースビーム報告をユーザデバイスによって作成することを含み、結合準コロケーション多数リソースビーム報告は、選択されたリソース対の同期信号ブロックリソースのリソース指示および測定された受信電力、そのリソース対の一組のチャネル状態情報−基準信号リソースのリソース指示、ならびにそのリソース対の一組のチャネル状態情報−基準信号リソースのそれぞれのリソースの測定された受信電力を指示する情報を含む。そして、動作５４０は、結合準コロケーション多数リソースビーム報告をユーザデバイスによって送信することを制御することを含む。
【００９６】
例１９：例１８に記載の方法を実行するための手段を備える装置。
【００９７】
例２０：少なくとも１つのプロセッサと、コンピュータ命令を含む少なくとも１つのメモリとを備える装置であって、コンピュータ命令が、こなくとも１つのプロセッサによって実行されたときに、装置に、例１８に記載の方法を実行させる、装置。
【００９８】
例２１：コンピュータプログラム製品を含む装置であって、コンピュータプログラム製品が、非一時的コンピュータ可読記憶媒体を含み、実行可能コードを記憶しており、実行可能コードが、少なくとも１つのデータ処理装置によって実行されたときに、この少なくとも１つのデータ処理装置に、例１８に記載の方法を実行させるように構成されている、装置。
【００９９】
例２２：図６は、例示的な一実施態様に基づく基地局の動作を示す流れ図である。動作６１０は、１つまたは複数のリソース対について、リソース対の第１のリソース型のリソースがリソース対の第２のリソース型の一組のリソースと空間的に準コロケーション関係にあることを指示する準コロケーション情報を、基地局によって送信することを制御することを含む。そして、動作６２０は、ユーザデバイスからの結合準コロケーション多数リソースビーム報告を基地局によって受信することを制御することを含み、結合準コロケーション多数リソースビーム報告は、選択されたリソース対の第１のリソース型のリソースと第２のリソース型の一組のリソースのそれぞれのリソースとを含む、選択されたリソース対のそれぞれのリソースについて、リソースと、対応する受信電力とを指示する。
【０１００】
例２３：例２２の例示的な一実施態様によれば、第１のリソース型は同期信号ブロックリソースを含み、第２のリソース型はチャネル状態情報−基準信号リソースを含む。
【０１０１】
例２４：例２２または２３の例示的な一実施態様によれば、第１のリソース型は同期信号ブロックリソースを含み、第２のリソース型はチャネル状態情報−基準信号リソースを含み、送信することを制御することは、１つまたは複数のリソース対について、リソース対の同期信号ブロックリソースがリソース対の一組のチャネル状態情報−基準信号リソースと空間的に準コロケーション関係にあることを指示する準コロケーション情報を、基地局によって送信することを制御することを含み、準コロケーション情報は、リソース対の同期信号ブロックリソースのリソース指示と、リソース対の一組のチャネル状態情報−基準信号リソースのリソース指示とを指示する。
【０１０２】
例２５：例２２〜２４のうちのいずれかの例示的な一実施態様によれば、基地局デバイスによって、結合準コロケーション多数リソースビーム報告を提供するためにリソース対を選択する際に使用する選択基準の指示を、以下の選択基準、すなわち、リソース対の第１のリソース型のリソースの最も強い受信電力、リソース対の第２のリソース型の一組のリソースにわたって計算した最も強い集約受信電力、およびリソース対の第１のリソース型のリソースとリソース対の第２のリソース型の一組のリソースの両方にわたって計算した最も強い集約受信電力のうちの１つとして送信することをさらに含む。
【０１０３】
例２６：例２２〜２５のうちのいずれかの例の例示的な一実施態様によれば、受信することを制御することは、選択されたリソース対について、基準電力と、選択されたリソース対のそれぞれのリソースの基準電力に対する電力オフセットとを指示する結合準コロケーション多数リソースビーム報告を、基地局によって受信することを制御することを含み、電力オフセットは、選択されたリソース対の第１のリソース型のリソースの電力オフセットおよび第２のリソース型の一組のリソースのそれぞれのリソースの電力オフセットを含む。
【０１０４】
例２７：例２６の例示的な一実施態様によれば、基準電力は、リソース対のリソースの最大電力を含む。
【０１０５】
例２８：例２２〜２７のうちのいずれかの例示的な一実施態様によれば、結合準コロケーション多数リソースビーム報告は、基準電力と、選択されたリソース対のそれぞれのリソースの基準電力に対する電力オフセットとを指示する第１の要素、および選択されたリソース対のリソースを識別する第２の要素であり、リソース対の同期信号ブロックリソースを識別する同期信号ブロックリソースインジケータと、選択されたリソース対の一組のチャネル状態情報−基準信号リソースを識別するリソースインジケータとを含む第２の要素を含む。
【０１０６】
例２９：例２２〜２８のうちのいずれかの例示的な一実施態様によれば、結合準コロケーション多数リソースビーム報告は、複数の選択されたリソース対の情報を報告する結合準コロケーション多数リソースビーム報告であり、１つの基準電力と、複数のリソース対のそれぞれのリソースの前記１つの基準電力に対する電力オフセットとを指示する情報を含む結合準コロケーション多数リソースビーム報告を含む。
【０１０７】
例３０：例２２〜２９のうちのいずれかの例示的な一実施態様によれば、結合準コロケーション多数リソースビーム報告は、複数の選択されたリソース対の情報を報告する結合準コロケーション多数リソースビーム報告であり、複数の選択されたリソース対のうちのそれぞれのリソース対の基準電力と、複数のリソース対のそれぞれのリソースの、対応するリソース対の基準電力に対する電力オフセットとを指示する情報を含む結合準コロケーション多数リソースビーム報告を含む。
【０１０８】
例３１：例２２〜３０のうちのいずれかの例示的な一実施態様によれば、リソースはそれぞれ、ビームまたは空間ドメインフィルタに関連づけられている。
【０１０９】
例３２：例２２〜３１のいずれかに記載の方法を実行するための手段を備える装置。
【０１１０】
例３３：少なくとも１つのプロセッサと、コンピュータ命令を含む少なくとも１つのメモリとを備える装置であって、コンピュータ命令が、こなくとも１つのプロセッサによって実行されたときに、装置に、請求項２２〜３１のいずれかに記載の方法を実行させる、装置。
【０１１１】
例３４：コンピュータプログラム製品を含む装置であって、このコンピュータプログラム製品が、非一時的コンピュータ可読記憶媒体を含み、実行可能コードを記憶しており、実行可能コードが、少なくとも１つのデータ処理装置によって実行されたときに、この少なくとも１つのデータ処理装置に、例２２〜３１のいずれかに記載の方法を実行させるように構成されている、装置。
【０１１２】
図７は、例示的な一実施態様に基づく無線局（例えばＡＰ、ＢＳ、中継ノード、ｅＮＢ、ＵＥまたはユーザデバイス）１０００のブロック図である。例えば、無線局１０００は、１つまたは２つのＲＦ（無線周波）または無線トランシーバ１００２Ａ、１００２Ｂを含むことができ、それぞれの無線トランシーバは、信号を送信するための送信器および信号を受信するための受信器を含む。この無線局はさらに、命令もしくはソフトウェアを実行するためおよび信号の送受信を制御するためのプロセッサもしくは制御ユニット／エンティティ（コントローラ）１００４、ならびにデータおよび／または命令を記憶するためのメモリ１００６を含む。
【０１１３】
プロセッサ１００４はさらに、判断または判定を実施し、送信するためのフレーム、パケットまたはメッセージを生成し、受信したフレームまたはメッセージを更なる処理のためにデコードし、本明細書に記載された他のタスクまたは機能を実行することができる。プロセッサ１００４は、例えばベースバンドプロセッサとすることができ、無線トランシーバ１００２（１００２Ａまたは１００２Ｂ）を介して送信するためのメッセージ、パケット、フレームまたは他の信号を生成することができる。プロセッサ１００４は、無線ネットワーク上への信号またはメッセージの送信を制御することができ、無線ネットワークを介した信号またはメッセージなどの（例えば、例えば無線トランシーバ１００２によってダウンコンバートされた後の）受信を制御することができる。プロセッサ１００４は、プログラム可能とすることができ、上記のタスクまたは方法のうちの１つまたは複数などの上記のさまざまなタスクおよび機能を実行するために、メモリに記憶されたまたは他のコンピュータ媒体上に記憶されたソフトウェアまたは他の命令を実行することができる。プロセッサ１００４は、例えばソフトウェアもしくはファームウェアを実行するハードウェア、プログラマブルロジック、プログラム可能なプロセッサおよび／はまたはこれらの任意の組合せとすることができる（あるいはこれらを含むことができる）。他の用語を使用すれば、プロセッサ１００４とトランシーバ１００２とを合わせて、例えば無線送信器／受信器システムと考えることもできる。
【０１１４】
さらに、図７を参照すると、コントローラ（またはプロセッサ）１００８は、ソフトウェアおよび命令を実行することができ、ステーション１０００に対する全体的な制御を提供することができ、入力／出力デバイス（例えばディスプレイ、キーパッド）を制御することなど、図７に示されていない他のシステムに対する制御を提供することができ、かつ／あるいは、例えば電子メールプログラム、オーディオ／ビデオアプリケーション、ワードプロセッサ、ボイスオーバーＩＰアプリケーションまたは他のアプリケーションもしくはソフトウェアなどの、無線局１０００上に提供することができる１つまたは複数のアプリケーションのためのソフトウェアを実行することができる。
【０１１５】
さらに、記憶された命令を含む記憶媒体を提供することができ、命令は、コントローラまたはプロセッサによって実行されたときに、プロセッサ１００４または他のコントローラもしくはプロセッサが、上記の機能またはタスクのうちの１つまたは複数を実行することに帰着しうる。
【０１１６】
別の例示的な実施態様によれば、ＲＦまたは無線トランシーバ１００２Ａ／１００２Ｂは、信号もしくはデータを受信し、かつ／または信号もしくはデータを送信しもしくは送ることができる。プロセッサ１００４（およびことによるとトランシーバ１００２Ａ／１００２Ｂ）は、信号またはデータを受信し、送り、ブロードキャストするかまたは送信するように、ＲＦまたは無線トランシーバ１００２Ａまたは１００２Ｂを制御することができる。
【０１１７】
しかしながら、実施形態は、一例として与えられたシステムに限定されず、当業者は解決策を他の通信システムに適用することができる。適当な通信システムの別の例は５Ｇ概念（ｃｏｎｃｅｐｔ）である。５ＧのネットワークアーキテクチャはＬＴＥ−ａｄｖａｎｃｅｄのネットワークアーキテクチャと非常によく似ていることが仮定される。５Ｇは、多入力多出力（ｍｕｌｔｉｐｌｅ  ｉｎｐｕｔ−ｍｕｌｔｉｐｌｅ  ｏｕｔｐｕｔ：ＭＩＭＯ）アンテナを使用する可能性、またはより小さなステーションと協力して動作し、おそらくはより良好なカバレージおよび強化されたデータ転送速度のためにさまざまな無線技術も使用するマクロサイトを含む、ＬＴＥよりもずっと多くの基地局もしくはノードを使用する（いわゆるスモールセル概念）可能性が高い。
【０１１８】
将来のネットワークは、サービスを提供するために動作可能に１つに接続または連結することができる「ビルディングブロック」またはエンティティの中にネットワークノード機能を仮想化することを提案するネットワークアーキテクチャ概念であるネットワーク機能仮想化（ｎｅｔｗｏｒｋ  ｆｕｎｃｔｉｏｎｓ  ｖｉｒｔｕａｌｉｚａｔｉｏｎ：ＮＦＶ）を利用する可能性があることを理解すべきである。仮想化ネットワーク機能（ｖｉｒｔｕｌｉｚｅｄ  ｎｅｔｗｏｒｋ  ｆｕｎｃｔｉｏｎ：ＶＮＦ）は、カスタマイズされたハードウェアの代わりに標準型または汎用型サーバを使用してコンピュータプログラムコードを走らせる１つまたは複数の仮想マシンを含むことができる。クラウドコンピューティングまたはデータ記憶も利用することができる。無線通信では、このことが、リモートラジオヘッドに動作可能に結合されたサーバ、ホストまたはノード内で少なくとも部分的にノード動作を実行することができることを意味することがある。複数のサーバ、ノードまたはホスト間でノード動作を分散化することも可能である。コアネットワーク動作と基地局動作の間の作業の分散化は、ＬＴＥの作業の分散化とは異なることがあること、または存在しないことさえあることも理解されるべきである。
【０１１９】
本明細書に記載されたさまざまな技法の実施態様は、ディジタル電子回路で、またはコンピュータハードウェア、ファームウェア、ソフトウェアで、またはこれらの組合せで実施することができる。実施態様は、コンピュータプログラム製品として、すなわち、データ処理装置、例えばプログラム可能なプロセッサ、コンピュータもしくは多数のコンピュータによって実行するために、または制御するよう実行するために、情報担体、例えばマシン可読記憶デバイスまたは伝搬信号の中に実体として（ｔａｎｇｉｂｌｙ）具体化されたコンピュータプログラムとして実施することができる。非一時的媒体とすることができるコンピュータ可読媒体またはコンピュータ可読記憶媒体上に実施態様を提供することもできる。さまざまな技法の実施態様はさらに、一時的な信号もしくは媒体を介して提供される実施態様、ならびに／または有線ネットワークおよび／もしくは無線ネットワークであるインターネットもしくは他のネットワークを介してダウンロード可能なプログラムおよび／もしくはソフトウェア実施態様を含むことができる。さらに、マシンタイプ通信（ｍａｃｈｉｎｅ  ｔｙｐｅ  ｃｏｍｍｕｎｉｃａｔｉｏｎｓ：ＭＴＣ）を介して、さらにインターネットオブシングス（ＩＯＴ）を介して実施態様を提供することもできる。
【０１２０】
コンピュータプログラムは、ソースコード形式、オブジェクトコード形式またはある中間形式をとることができ、プログラムを担持することができる任意のエンティティまたはデバイスとすることができるある種の担体、配布媒体またはコンピュータ可読媒体の中に記憶することができる。このような担体は例えば記録媒体、コンピュータメモリ、読出し専用メモリ、光電子および／または電気搬送信号、電気通信信号ならびにソフトウェア配布パッケージを含む。必要な処理パワーに応じて、コンピュータプログラムは、単一の電子ディジタルコンピュータで実行することができ、またはいくつかのコンピュータ間に分散化することができる。
【０１２１】
さらに、本明細書に記載されたさまざまな技法の実施態様は、サイバー物理システム（ｃｙｂｅｒ−ｐｈｙｓｉｃａｌ  ｓｙｓｔｅｍ：ＣＰＳ）（物理エンティティを制御するコンピュテーション要素と協力するシステム）を使用することができる。ＣＰＳは、物理オブジェクトの異なる位置に埋め込まれ相互接続された大量のＩＣＴデバイス（センサ、アクチュエータ、プロセッサ、マイクロコントローラ、．．．）の実施および利用を可能にすることができる。当該物理システムが固有のモビリティを有する移動サイバー物理システムは、サイバー物理システムの下位カテゴリである。移動物理システムの例は、人間または動物によって運ばれる移動ロボットおよび移動電子機器を含む。スマートフォンの普及の拡大は、移動サイバー物理システム領域おける関心を高めた。したがって、これらの技術のうちの１つまたは複数の技法を介して、本明細書に記載された技法のさまざまな実施態様を提供することができる。
【０１２２】
上記のコンピュータプログラムなどのコンピュータプログラムは、コンパイルド（ｃｏｍｐｉｌｅｄ）またはインタプリテッド（ｉｎｔｅｒｐｒｅｔｅｄ）言語を含む、任意の形態のプログラミング言語で書くことができ、独立型プログラムとしての形態、あるいはモジュール、コンポーネント、サブルーチン、またはコンピューティング環境で使用するのに適した他のユニットもしくはそれの部分としての形態を含む、任意の形態で展開することができる。コンピュータプログラムは、１つのコンピュータ上で、または１つのサイトの多数のコンピュータ上で、または多数のサイトにわたって分散化され、通信ネットワークによって相互接続された多数のコンピュータ上で実行されるように展開することができる。
【０１２３】
方法ステップは、入力データを処理し、出力を生成することにより機能を実行するためにコンピュータプログラムまたはコンピュータプログラム部分を実行する１つまたは複数のプログラム可能なプロセッサによって実行することができる。方法ステップは、専用論理回路、例えばＦＰＧＡ（フィールドプログラマブルゲートアレイ）またはＡＳＩＣ（特定用途向け集積回路）によって実行することもでき、装置は、専用論理回路、例えばＦＰＧＡまたはＡＳＩＣとして実施することができる。
【０１２４】
コンピュータプログラムの実行に適したプロセッサは、例として、汎用と専用の両方のマイクロプロセッサ、および任意の種類のディジタルコンピュータ、チップまたはチップセットの任意の１つまたは複数のプロセッサを含む。一般に、プロセッサは、読出し専用メモリまたはランダムアクセスメモリ、あるいはその両方から、命令およびデータを受け取る。コンピュータの要素は、命令を実行する少なくとも１つのプロセッサ、ならびに命令およびデータを記憶する１つまたは複数のメモリデバイスを含むことがある。一般に、コンピュータはさらに、データを記憶する１つもしくは複数の大容量記憶デバイス、例えば磁気、光磁気ディスクもしくは光ディスクを含むことがあり、あるいは、データを記憶する１つもしくは複数の大容量記憶デバイス、例えば磁気、光磁気ディスクもしくは光ディスクからデータを受け取るか、データを転送する、またはその両方を実行するために、動作可能に結合されることがある。コンピュータプログラム命令およびデータを具体化するのに適した情報担体は、半導体メモリデバイス、例えばＥＰＲＯＭ、ＥＥＰＲＯＭおよびフラッシュメモリデバイス；磁気ディスク、例えば内蔵ハードディスクまたは取外し可能ディスク；光磁気ディスク；ならびにＣＤ−ＲＯＭおよびＤＶＤ−ＲＯＭディスクを例として含む、全ての形態の不揮発性メモリを含む。プロセッサおよびメモリは、専用論理回路によって補い、または専用論理回路に組み込むことができる。
【０１２５】
ユーザとの対話を提供するため、ユーザに情報を表示するためのディスプレイデバイス、例えば陰極線管（ＣＲＴ）または液晶ディスプレイ（ＬＣＤ）モニタと、ユーザがコンピュータに入力を提供することができる、キーボードおよび例えばマウスまたはトラックボールといったポインティングデバイスなどのユーザインタフェースとを有するコンピュータ上で、実施態様を実施することができる。他の種類のデバイスを使用してユーザとの対話を提供することもでき、例えば、ユーザに提供されるフィードバックは、任意の形態の感覚フィードバック、例えば視覚フィードバック、聴覚フィードバックまたは触覚フィードバックとすることができ、ユーザからの入力は、音響、音声または触覚入力を含む任意の形態で受け取ることができる。
【０１２６】
実施態様は、バックエンドコンポーネント、例えばデータサーバとしてのバックエンドコンポーネントを含むコンピューティングシステムで、またはミドルウェアコンポーネント、例えばアプリケーションサーバを含むコンピューティングシステムで、またはフロントエンドコンポーネント、例えばユーザが実施態様と対話することができるグラフィカルユーザインタフェースもしくはウェブブラウザを有するクライアントコンピュータを含むコンピューティングシステムで、またはこのようなバックエンド、ミドルウェアもしくはフロントエンドコンポーネントの任意の組合せを含むコンピューティングシステムで実施することができる。コンポーネントは、ディジタルデータ通信の任意の形態または媒体によって、例えば通信ネットワークによって相互接続することができる。通信ネットワークの例は、ローカルエリアネットワーク（ＬＡＮ）およびワイドエリアネットワーク（ＷＡＮ）、例えばインターネットを含む。
【０１２７】
記載された実施態様のいくつかの特徴を本明細書の記載のとおりに説明したが、当業者には、多くの変更、置換、改変および等価物が思い浮かぶであろう。したがって、添付の特許請求項は、さまざまな実施形態の真の趣旨に含まれるそのような全ての変更および改変をカバーすることが意図されていることを理解すべきである。
【図１】
2021505045.tif 000003
【図２】
2021505045.tif 000004
【図３】
2021505045.tif 000005
【図４】
2021505045.tif 000006
【図５】
2021505045.tif 000007
【図６】
2021505045.tif 000008
【図７】
2021505045.tif 000009
【国際調査報告】
2021505045.tif 000010
2021505045.tif 000011
2021505045.tif 000012
2021505045.tif 000013
2021505045.tif 000014